(57)【要約】  本出願の実施形態は、ユーザ機器がサービスデータを正常に送信し得るように、ユーザプレーンリンク確立方法を開示する。本出願の実施形態の方法は、第1の基地局によって取得要求を第2の基地局に送信するステップと、第1の基地局によって、取得要求に対応する応答メッセージを受信するステップであって、応答メッセージが、ピアアドレスを含む、ステップと、第1の基地局によってピアアドレスに基づいて、ユーザ機器に対応するユーザプレーンリンクを確立するステップとを含む。
2020519138.tif 000002
【特許請求の範囲】
【請求項１】
第1の基地局によって取得要求を第2の基地局に送信するステップと、
前記第1の基地局によって、前記取得要求に対応する応答メッセージを受信するステップであって、前記応答メッセージが、ピアアドレスを含む、ステップと、
前記第1の基地局によって前記ピアアドレスに基づいて、ユーザ機器に対応するユーザプレーンリンクを確立するステップと
を含む、ユーザプレーンリンク確立方法。
【請求項２】
前記応答メッセージが、拡張情報要素を含み、前記拡張情報要素が、前記ピアアドレスを示すために使用される、請求項1に記載の方法。
【請求項３】
前記拡張情報要素が、アップリンク汎用パケット無線サービストンネリングプロトコルGTPトンネルノード情報である、請求項2に記載の方法。
【請求項４】
前記応答メッセージが、前記ユーザ機器のコンテキスト情報を含み、前記拡張情報要素が、前記コンテキスト情報内の情報要素である、請求項2または3に記載の方法。
【請求項５】
前記ピアアドレスが、サービングゲートウェイSGWのインターネットプロトコルIPアドレスを含む、請求項1から3のいずれか一項に記載の方法。
【請求項６】
第1の基地局によって、ユーザ機器に対応するリンク切り替え要求をモビリティ管理デバイスMMEに送信するステップと、
前記第1の基地局によって、前記リンク切り替え要求に対応する肯定応答メッセージを受信するステップであって、前記肯定応答メッセージが、ピアアドレスを含む、ステップと、
前記第1の基地局によって前記ピアアドレスに基づいて、前記ユーザ機器に対応するユーザプレーンリンクを確立するステップと
を含む、ユーザプレーンリンク確立方法。
【請求項７】
前記ピアアドレスが、SGWのIPアドレスを含む、請求項6に記載の方法。
【請求項８】
第1の基地局によって送信された取得要求を第2の基地局によって受信するステップと、
前記第2の基地局によって、前記取得要求に基づいてピアアドレスを決定するステップと、
前記第2の基地局によって、応答メッセージを前記第1の基地局に送信するステップであって、前記応答メッセージが、前記ピアアドレスを含む、ステップと
を含む、ユーザプレーンリンク確立方法。
【請求項９】
前記第2の基地局によって、前記取得要求に基づいてピアアドレスを決定する前記ステップの後、かつ前記第2の基地局によって、応答メッセージを前記第1の基地局に送信する前記ステップの前に、前記方法が、
前記第2の基地局によって拡張情報要素を前記応答メッセージに追加するステップであって、前記拡張情報要素が、前記ピアアドレスを示すために使用される、ステップを含む、請求項8に記載の方法。
【請求項１０】
前記拡張情報要素が、アップリンクGTPトンネルノード情報である、請求項9に記載の方法。
【請求項１１】
前記応答メッセージが、ユーザ機器のコンテキスト情報を含み、前記拡張情報要素が、前記コンテキスト情報内の情報要素である、請求項9または10に記載の方法。
【請求項１２】
前記ピアアドレスが、サービングゲートウェイSGWのインターネットプロトコルIPアドレスを含む、請求項8から10のいずれか一項に記載の方法。
【請求項１３】
取得要求を第2の基地局に送信するように構成される送信モジュールと、
前記取得要求に対応する応答メッセージを受信するように構成される受信モジュールであって、前記応答メッセージが、ピアアドレスを含む、受信モジュールと、
前記受信モジュールによって受信される前記ピアアドレスに基づいて、ユーザ機器に対応するユーザプレーンリンクを確立するように構成される処理モジュールと
を備える、基地局。
【請求項１４】
前記応答メッセージが、拡張情報要素を含み、前記拡張情報要素が、前記ピアアドレスを示すために使用される、請求項13に記載の基地局。
【請求項１５】
前記拡張情報要素が、アップリンクGTPトンネルノード情報である、請求項14に記載の基地局。
【請求項１６】
前記ピアアドレスが、SGWのIPアドレスを含む、請求項13から15のいずれか一項に記載の基地局。
【請求項１７】
前記応答メッセージが、前記ユーザ機器のコンテキスト情報を含み、前記拡張情報要素が、前記コンテキスト情報内の情報要素である、請求項14または15に記載の基地局。
【請求項１８】
ユーザ機器に対応するリンク切り替え要求をモビリティ管理デバイスMMEに送信するように構成される送信モジュールと、
前記リンク切り替え要求に対応する肯定応答メッセージを受信するように構成される受信モジュールであって、前記肯定応答メッセージが、ピアアドレスを含む、受信モジュールと、
前記受信モジュールによって受信される前記ピアアドレスに基づいて、前記ユーザ機器に対応するユーザプレーンリンクを確立するように構成される確立モジュールと
を備える、基地局。
【請求項１９】
前記ピアアドレスが、SGWのIPアドレスを含む、請求項18に記載の基地局。
【請求項２０】
第1の基地局によって送信される取得要求を受信するように構成される受信モジュールと、
前記受信モジュールによって受信される前記取得要求に基づいてピアアドレスを決定するように構成される決定モジュールと、
応答メッセージを前記第1の基地局に送信するように構成される送信モジュールであって、前記応答メッセージが、前記ピアアドレスを含む、送信モジュールと
を備える、基地局。
【請求項２１】
前記基地局が、
拡張情報要素を前記応答メッセージに追加するように構成される伝送モジュールであって、前記拡張情報要素が、前記ピアアドレスを示すために使用される、伝送モジュールをさらに備える、請求項20に記載の基地局。
【請求項２２】
前記拡張情報要素が、アップリンクGTPトンネルノード情報である、請求項21に記載の基地局。
【請求項２３】
前記ピアアドレスが、SGWのIPアドレスを含む、請求項20から22のいずれか一項に記載の基地局。
【請求項２４】
前記応答メッセージが、ユーザ機器のコンテキスト情報を含み、前記拡張情報要素が、前記コンテキスト情報内の情報要素である、請求項20または21に記載の基地局。
【請求項２５】
トランシーバ、メモリ、およびプロセッサを備える基地局であって、
前記メモリが、プログラムを記憶するように構成され、
前記プロセッサが、前記メモリ内の前記プログラムを実行するように構成され、前記プログラムが、以下のステップ、すなわち、
取得要求を第2の基地局に送信するように前記トランシーバを制御するステップと、
前記取得要求に対応する応答メッセージを受信するように前記トランシーバを制御するステップであって、前記応答メッセージが、ピアアドレスを含む、ステップと、
前記ピアアドレスに基づいて、前記ユーザ機器に対応するユーザプレーンリンクを確立するステップとを具体的に含む、
基地局。
【請求項２６】
トランシーバ、メモリ、およびプロセッサを備える基地局であって、
前記メモリが、プログラムを記憶するように構成され、
前記プロセッサが、前記メモリ内の前記プログラムを実行するように構成され、前記プログラムが、以下のステップ、すなわち、
ユーザ機器に対応するリンク切り替え要求をMMEに送信するように前記トランシーバを制御するステップと、
前記リンク切り替え要求に対応する肯定応答メッセージを受信するように前記トランシーバを制御するステップであって、前記肯定応答メッセージが、ピアアドレスを含む、ステップと、
前記ピアアドレスに基づいて、前記ユーザ機器に対応するユーザプレーンリンクを確立するステップとを具体的に含む、
基地局。
【請求項２７】
トランシーバ、メモリ、およびプロセッサを備える基地局であって、
前記メモリが、プログラムを記憶するように構成され、
前記プロセッサが、前記メモリ内の前記プログラムを実行するように構成され、前記プログラムが、以下のステップ、すなわち、
第1の基地局によって送信される取得要求を受信するように前記トランシーバを制御するステップと、
前記取得要求に基づいてピアアドレスを決定するステップと、
応答メッセージを前記第1の基地局に送信するように前記トランシーバを制御するステップであって、前記応答メッセージが、前記ピアアドレスを含む、ステップとを具体的に含む、
基地局。
【発明の詳細な説明】
【技術分野】
【０００１】
本出願は、2017年5月4日に中国特許庁に提出された、「USER PLANE LINK ESTABLISHMENT METHOD, BASE STATION, AND MOBILITY MANAGEMENT DEVICE」と題された中国特許出願第201710309637．2号の優先権を主張し、その全体は、参照により本明細書に組み込まれる。
【０００２】
本出願は、通信分野に関し、特に、ユーザプレーンリンク確立方法、基地局、およびモビリティ管理デバイスに関する。
【背景技術】
【０００３】
狭帯域のモノのインターネット（Narrow Band Internet of Things、NB−IoT）は、第3世代パートナーシッププロジェクト（3rd Generation Partnership Project、3GPP）標準化団体によって定義された技術標準であり、モノのインターネット用に特別に設計された狭帯域無線周波数技術である。NB−IoTは、セルラーネットワークに基づいて構築され、約180KHzの帯域幅しか消費しない。NB−IoTは、グローバル・システム・フォー・モバイル・コミュニケーションズ（Global System for Mobile Communication、GSM（登録商標、以下同じ））、ユニバーサル移動通信システム（Universal Mobile Telecommunications System、UMTS）、およびロングタームエボリューション（Long Term Evolution、LTE）などのネットワークで直接展開され得る。
【０００４】
狭帯域のモノのインターネットのプロトコルでは、サイトでサスペンド（Suspend）された後、狭帯域のユーザ機器（User Equipment）は、別のサイト、すなわち非サスペンドサイトでレジューム（Resume）され得る。具体的には、ユーザ機器は、サスペンド前のステータスにレジュームされる。このプロセスは、クロスサイトレジュームと呼ばれている。
【０００５】
従来技術では、クロスサイトレジューム中に、ターゲット基地局（すなわち、非サスペンドサイト）は、UEコンテキスト検索要求（retrieve UE context request）をソース基地局（すなわち、サスペンドサイト）に送信し、次に、ソース基地局は、UEコンテキスト情報をターゲット基地局に返す。次に、ターゲット基地局は、UEコンテキスト情報に基づいてユーザ機器のステータスをレジュームし得る。
【０００６】
しかしながら、ターゲット基地局が従来技術でユーザ機器のステータスをレジュームするプロセスでは、ターゲット基地局は、ユーザ機器に対応するユーザプレーンリンクをレジュームする方法を知らず、その結果、ユーザ機器は、サービスデータを正常に送信し得ない。
【発明の概要】
【課題を解決するための手段】
【０００７】
本出願の一実施形態は、ユーザプレーンリンク確立方法を提供し、方法は以下を含む。
【０００８】
第1の基地局がサスペンド状態のユーザ機器をレジュームする必要があるとき、第1の基地局は、取得要求を第2の基地局に送信し、次に、第1の基地局は、第2の基地局によって返される応答メッセージを受信する。応答メッセージは、ピアアドレスを含む。第1の基地局は、ピアアドレスに基づいて、ユーザ機器に対応するユーザプレーンリンクを確立する。
【０００９】
ピアアドレスは、ユーザ機器に対応するユーザプレーンで基地局に接続されるコアネットワーク要素のアドレスであることを理解されたい。具体的には、LTEネットワークでは、ピアアドレスは、S1−Uインタフェースのピアアドレスである。
【００１０】
本出願のこの実施形態では、第1の基地局がサスペンドされたユーザ機器のステータスをレジュームするプロセスにおいて、第1の基地局は、ピアアドレスを取得し、ピアアドレスに基づいて、ユーザ機器に対応するユーザプレーンリンクを確立し得、これにより、ユーザ機器は、サービスデータを正常に送信し得る。
【００１１】
本出願の実施形態の第1の態様に関連して、本出願の実施形態の第1の態様の第1の実施態様では、応答メッセージは、拡張情報要素を含み得、拡張情報要素は、ピアアドレスを示すために使用される。
【００１２】
本出願のこの実施形態は、ピアアドレスを示す特定の方法を提供し、その結果、解決策の実施可能性を改善する。
【００１３】
本出願の実施形態の第1の態様の第1の実施態様に関連して、本出願の実施形態の第1の態様の第2の実施態様では、拡張情報要素は、アップリンクGTPトンネルノード情報である。
【００１４】
アップリンクGTPトンネルノードは、抽象構文記法プロトコルでS1インタフェースに接続されるSGWノードとして定義され、ノードは、アップリンクパケットデータユニットを送信するために使用されることを理解されたい。
【００１５】
本出願のこの実施形態では、ピアアドレスは、アップリンクGTPトンネルノード情報を使用して示され得、追加の拡張情報要素を定義する必要がなく、このため、解決策を実施する複雑さが低減される。本出願の実施形態の第1の態様または第1の態様の第1の実施態様もしくは第2の実施態様に関連して、本出願の実施形態の第1の態様の第3の実施態様では、ピアアドレスは、SGWのIPアドレスを含み得る。本出願のこの実施形態は、ユーザプレーンリンクを確立するための特定の実施態様を提供し、その結果、解決策の実施可能性を改善する。
【００１６】
本出願の実施形態の第1の態様の第1の実施態様または第2の実施態様に関連して、本出願の実施形態の第1の態様の第4の実施態様では、取得要求は、ユーザ機器のコンテキスト情報を取得するために使用され、応答メッセージは、ユーザ機器のコンテキスト情報を含む。この場合、拡張情報要素は、コンテキスト情報内の情報要素である。
【００１７】
本出願の実施形態の第2の態様は、ユーザプレーンリンク確立方法を提供し、方法は以下を含む。
【００１８】
第1の基地局がサスペンド状態のユーザ機器をレジュームする必要があるとき、第1の基地局は、UEコンテキスト検索要求を第2の基地局に送信する。第2の基地局がユーザ機器のコンテキスト情報を第1の基地局に返した後、第1の基地局は、ユーザ機器に対応するリンク切り替え要求をモビリティ管理デバイスに送信する。リンク切り替え要求に基づいてユーザ機器のユーザプレーンリンク情報を更新した後、モビリティ管理デバイスは、肯定応答メッセージを第1の基地局に返す。肯定応答メッセージは、ピアアドレスを含む。第1の基地局は、肯定応答メッセージを受信し、ピアアドレスに基づいて、ユーザ機器に対応するユーザプレーンリンクを確立する。
【００１９】
ピアアドレスは、ユーザ機器に対応するユーザプレーンで基地局に接続されるコアネットワーク要素のアドレスであることを理解されたい。具体的には、LTEネットワークでは、ピアアドレスは、S1−Uインタフェースのピアアドレスである。本出願のこの実施形態では、第1の基地局がユーザ機器のステータスをレジュームするプロセスにおいて、モビリティ管理デバイスは、ピアアドレスを第1の基地局に送信し、これにより、第1の基地局は、ピアアドレスに基づいて、ユーザ機器に対応するユーザプレーンリンクを確立し得、ユーザ機器は、サービスデータを正常に送信し得る。
【００２０】
本出願の実施形態の第2の態様に関連して、本出願の実施形態の第2の態様の第1の実施態様では、ピアアドレスは、サービングゲートウェイのインターネットプロトコルアドレスを含み得る。
【００２１】
本出願のこの実施形態は、ユーザプレーンリンクを確立するための特定の実施態様を提供し、その結果、解決策の実施可能性を改善する。
【００２２】
本出願の実施形態の第3の態様は、ユーザプレーンリンク確立方法を提供し、方法は以下を含む。
【００２３】
第1の基地局がサスペンド状態のユーザ機器をレジュームする必要があるとき、第1の基地局は、取得要求を第2の基地局に送信する。第2の基地局は、取得要求を受信し、取得要求に基づいてピアアドレスを決定し、次に、ピアアドレスを含む応答メッセージを第1の基地局に送信し、これにより、第2の基地局は、ピアアドレスに基づいてユーザプレーンリンクを確立し得る。
【００２４】
ピアアドレスは、ユーザ機器に対応するユーザプレーンで基地局に接続されるコアネットワーク要素のアドレスであることを理解されたい。具体的には、LTEネットワークでは、ピアアドレスは、S1−Uインタフェースのピアアドレスである。
【００２５】
本出願のこの実施形態では、第1の基地局がユーザ機器のステータスをレジュームするプロセスにおいて、第2の基地局は、ピアアドレスを第1の基地局に送信し、これにより、第1の基地局は、ピアアドレスに基づいて、ユーザ機器に対応するユーザプレーンリンクを確立し得、ユーザ機器は、サービスデータを正常に送信し得る。
【００２６】
本出願の実施形態の第3の態様に関連して、本出願の実施形態の第3の態様の第1の実施態様では、応答メッセージを送信するステップの前に、第2の基地局は、以下のステップをさらに実行する。
【００２７】
第2の基地局は、ピアアドレスを示すために使用される拡張情報要素を応答メッセージに追加する。
【００２８】
本出願のこの実施形態は、ピアアドレスを示すための特定の実施態様を提供し、その結果、解決策の実施可能性を改善する。
【００２９】
本出願の実施形態の第3の態様の第1の実施態様に関連して、本出願の実施形態の第3の態様の第2の実施態様では、拡張情報要素は、アップリンクGTPトンネルノード情報である。アップリンクGTPトンネルノードは、抽象構文記法プロトコルでS1インタフェースに接続されるSGWノードとして定義され、ノードは、アップリンクパケットデータユニットを送信するために使用されることを理解されたい。
【００３０】
本出願のこの実施形態では、ピアアドレスは、アップリンクGTPトンネルノード情報を使用して示され得、追加の拡張情報要素を定義する必要がなく、このため、解決策を実施する複雑さが低減される。
【００３１】
本出願の実施形態の第3の態様の第1の実施態様または第2の実施態様に関連して、本出願の実施形態の第3の態様の第3の実施態様では、取得要求は、ユーザ機器のコンテキスト情報を取得するために使用され、応答メッセージは、ユーザ機器のコンテキスト情報を含む。この場合、拡張情報要素は、コンテキスト情報内の情報要素である。
【００３２】
本出願の実施形態の第3の態様または第3の態様の第1の実施態様もしくは第2の実施態様に関連して、本出願の実施形態の第3の態様の第4の実施態様では、ピアアドレスは、サービングゲートウェイのインターネットプロトコルアドレスを含み得る。
【００３３】
本出願の実施形態の第4の態様は、基地局を提供し、基地局は、
取得要求を第2の基地局に送信するように構成される送信モジュールと、
取得要求に対応する応答メッセージを受信するように構成される受信モジュールであって、応答メッセージが、ピアアドレスを含む、受信モジュールと、
受信モジュールによって受信されるピアアドレスに基づいて、ユーザ機器に対応するユーザプレーンリンクを確立するように構成される処理モジュールとを含む。
【００３４】
本出願の実施形態の第4の態様に関連して、本出願の実施形態の第4の態様の第1の実施態様では、応答メッセージは、拡張情報要素を含み得、拡張情報要素は、ピアアドレスを示すために使用される。
【００３５】
本出願の実施形態の第4の態様の第1の実施態様に関連して、本出願の実施形態の第4の態様の第2の実施態様では、拡張情報要素は、アップリンクGTPトンネルノード情報を含み得る。
【００３６】
本出願の実施形態の第4の態様または第4の態様の第1の実施態様もしくは第2の実施態様に関連して、本出願の実施形態の第4の態様の第3の実施態様では、ピアアドレスは、サービングゲートウェイのインターネットプロトコルアドレスを含み得る。
【００３７】
本出願の実施形態の第4の態様の第1の実施態様または第2の実施態様に関連して、本出願の実施形態の第4の態様の第4の実施態様では、応答メッセージは、ユーザ機器のコンテキスト情報を含み、拡張情報要素は、コンテキスト情報内の情報要素である。
【００３８】
本出願の実施形態の第5の態様は、基地局を提供し、基地局は、
ユーザ機器に対応するリンク切り替え要求をモビリティ管理デバイスMMEに送信するように構成される送信モジュールと、
リンク切り替え要求に対応する肯定応答メッセージを受信するように構成される受信モジュールであって、肯定応答メッセージが、ピアアドレスを含む、受信モジュールと、
受信モジュールによって受信されるピアアドレスに基づいて、ユーザ機器に対応するユーザプレーンリンクを確立するように構成される確立モジュールとを含む。
【００３９】
本出願の実施形態の第5の態様に関連して、本出願の実施形態の第5の態様の第1の実施態様では、ピアアドレスは、SGWのIPアドレスを含み得る。
【００４０】
本出願の実施形態の第6の態様は、基地局を提供し、基地局は、
第1の基地局によって送信される取得要求を受信するように構成される受信モジュールと、
受信モジュールによって受信される取得要求に基づいてピアアドレスを決定するように構成される決定モジュールと、
応答メッセージを第1の基地局に送信するように構成される送信モジュールであって、応答メッセージが、ピアアドレスを含む、送信モジュールとを含む。
【００４１】
本出願の実施形態の第6の態様に関連して、本出願の実施形態の第6の態様の第1の実施態様では、基地局は、
拡張情報要素を応答メッセージに追加するように構成される伝送モジュールであって、拡張情報要素が、ピアアドレスを示すために使用される、伝送モジュールをさらに含む。
【００４２】
本出願の実施形態の第6の態様の第1の実施態様に関連して、本出願の実施形態の第6の態様の第2の実施態様では、拡張情報要素は、アップリンクGTPトンネルノード情報である。
【００４３】
本出願の実施形態の第6の態様または第6の態様の第1の実施態様もしくは第2の実施態様に関連して、本出願の実施形態の第6の態様の第3の実施態様では、ピアアドレスは、サービングゲートウェイのインターネットプロトコルアドレスを含む。
【００４４】
本出願の実施形態の第6の態様の第1の実施態様または第2の実施態様に関連して、本出願の実施形態の第6の態様の第4の実施態様では、応答メッセージは、ユーザ機器のコンテキスト情報を含み、拡張情報要素は、コンテキスト情報内の情報要素である。本出願の実施形態の第7の態様は、基地局を提供し、基地局は、トランシーバ、メモリ、およびプロセッサを含む。
【００４５】
メモリは、プログラムを記憶するように構成される。
【００４６】
プロセッサは、メモリ内のプログラムを実行するように構成され、プログラムは、以下のステップ、すなわち、
取得要求を第2の基地局に送信するようにトランシーバを制御するステップと、
取得要求に対応する応答メッセージを受信するようにトランシーバを制御するステップであって、応答メッセージが、ピアアドレスを含む、ステップと、
ピアアドレスに基づいて、ユーザ機器に対応するユーザプレーンリンクを確立するステップとを具体的に含む。
【００４７】
本出願の実施形態の第7の態様に関連して、本出願の実施形態の第7の態様の第1の実施態様では、応答メッセージは、拡張情報要素を含み得、拡張情報要素は、ピアアドレスを示すために使用される。
【００４８】
本出願の実施形態の第7の態様の第1の実施態様に関連して、本出願の実施形態の第7の態様の第2の実施態様では、拡張情報要素は、アップリンクGTPトンネルノード情報を含み得る。
【００４９】
本出願の実施形態の第7の態様または第7の態様の第1の実施態様もしくは第2の実施態様に関連して、本出願の実施形態の第7の態様の第3の実施態様では、ピアアドレスは、サービングゲートウェイのインターネットプロトコルアドレスを含む。
【００５０】
本出願の実施形態の第7の態様の第1の実施態様または第2の実施態様に関連して、本出願の実施形態の第7の態様の第4の実施態様では、応答メッセージは、ユーザ機器のコンテキスト情報を含み、拡張情報要素は、コンテキスト情報内の情報要素である。
【００５１】
本出願の実施形態の第8の態様は、基地局を提供し、基地局は、トランシーバ、メモリ、およびプロセッサを含む。
【００５２】
メモリは、プログラムを記憶するように構成される。
【００５３】
プロセッサは、メモリ内のプログラムを実行するように構成され、プログラムは、以下のステップ、すなわち、
ユーザ機器に対応するリンク切り替え要求をMMEに送信するようにトランシーバを制御するステップと、
リンク切り替え要求に対応する肯定応答メッセージを受信するようにトランシーバを制御するステップであって、肯定応答メッセージが、ピアアドレスを含む、ステップと、
ピアアドレスに基づいて、ユーザ機器に対応するユーザプレーンリンクを確立するステップとを具体的に含む。
【００５４】
本出願の実施形態の第8の態様に関連して、本出願の実施形態の第8の態様の第1の実施態様では、ピアアドレスは、サービングゲートウェイのインターネットプロトコルアドレスを含み得る。
【００５５】
本出願の実施形態の第9の態様は、基地局を提供し、基地局は、トランシーバ、メモリ、およびプロセッサを含む。
【００５６】
メモリは、プログラムを記憶するように構成される。
【００５７】
プロセッサは、メモリ内のプログラムを実行するように構成され、プログラムは、以下のステップ、すなわち、
第1の基地局によって送信される取得要求を受信するようにトランシーバを制御するステップと、
取得要求に基づいてピアアドレスを決定するステップと、
応答メッセージを第1の基地局に送信するようにトランシーバを制御するステップであって、応答メッセージが、ピアアドレスを含む、ステップとを具体的に含む。
【００５８】
本出願の実施形態の第9の態様に関連して、本出願の実施形態の第9の態様の第1の実施態様では、プロセッサは、以下のステップ、すなわち、
拡張情報要素を応答メッセージに追加するステップであって、拡張情報要素が、ピアアドレスを示すために使用される、ステップを実行するようにさらに構成される。
【００５９】
本出願の実施形態の第9の態様の第1の実施態様に関連して、本出願の実施形態の第9の態様の第2の実施態様では、拡張情報要素は、アップリンクGTPトンネルノード情報である。
【００６０】
本出願の実施形態の第9の態様または第9の態様の第1の実施態様もしくは第2の実施態様に関連して、本出願の実施形態の第9の態様の第3の実施態様では、ピアアドレスは、サービングゲートウェイのインターネットプロトコルアドレスを含む。
【００６１】
本出願の実施形態の第9の態様の第1の実施態様または第2の実施態様に関連して、本出願の実施形態の第7の態様の第4の実施態様では、応答メッセージは、ユーザ機器のコンテキスト情報を含み、拡張情報要素は、コンテキスト情報内の情報要素である。
【００６２】
本出願の実施形態の第10の態様は、コンピュータ可読記憶媒体を提供する。コンピュータ可読記憶媒体は命令を記憶し、命令がコンピュータ上で実行されると、コンピュータは、第1の態様から第3の態様による方法を実行することが可能になる。
【００６３】
本出願の実施形態の第11の態様は、命令を含むコンピュータプログラム製品を提供する。コンピュータプログラム製品がコンピュータ上で実行されると、コンピュータは、第1の態様から第3の態様による方法を実行することが可能になる。
【００６４】
上記の技術的解決策から、本出願の実施形態は以下の利点を有することが分かる。
【００６５】
本出願のこの実施形態では、第1の基地局がサスペンドされたユーザ機器のステータスをレジュームするプロセスにおいて、第1の基地局は、ピアアドレスを取得し、ピアアドレスに基づいて、ユーザ機器に対応するユーザプレーンリンクを確立し得、これにより、ユーザ機器は、サービスデータを正常に送信し得る。
【００６６】
本出願の実施形態の技術的解決策をより明確に説明するために、以下では、実施形態の添付図面について簡単に説明する。明らかに、以下の説明の添付図面は、本出願の一部の実施形態のみを示している。
【図面の簡単な説明】
【００６７】
【図１】本出願の一実施形態によるユーザプレーンリンク確立システムの一実施形態の概略図である。
【図２】本出願の一実施形態によるユーザプレーンリンク確立方法の一実施形態のフローチャートである。
【図３】本出願の一実施形態によるユーザプレーンリンク確立方法の別の実施形態のフローチャートである。
【図４】本出願の一実施形態によるユーザプレーンリンク確立方法の別の実施形態のフローチャートである。
【図５】本出願の一実施形態によるユーザプレーンリンク確立方法の別の実施形態のフローチャートである。
【図６】本出願の一実施形態による基地局の一実施形態の概略図である。
【図７】本出願の一実施形態による基地局の別の実施形態の概略図である。
【図８】本出願の一実施形態による基地局の別の実施形態の概略図である。
【図９】本出願の一実施形態による基地局の別の実施形態の概略図である。
【発明を実施するための形態】
【００６８】
以下では、本出願の実施形態の添付図面を参照して本出願の実施形態の技術的解決策を明確かつ完全に説明する。明らかに、説明されている実施形態は、本出願の実施形態の一部に過ぎず、本出願の実施形態の全部ではない。
【００６９】
本出願の明細書、特許請求の範囲、および添付図面において、用語「第1」、「第2」、「第3」、および「第4」など（もしあれば）は、同様の対象を区別することを意図されており、必ずしも特定の順序または順番を示すものではない。このような方法で呼称される所与は、適切な状況で交換可能であり、このため、本明細書で説明されている、本出願の実施形態は、本明細書で例示または説明されている順序以外の順序で実施され得ることを理解されたい。加えて、用語「含む」、「有する」、およびこれらの用語の変種は、非排他的な包含を取り扱うことを意味し、例えば、一連のステップまたはユニットを含むプロセス、方法、システム、製品、またはデバイスは、明確にリストされているこれらのステップまたはユニットに必ずしも限定されず、明確にリストされていない、またはこれらのプロセス、方法、製品、もしくはデバイスに固有である他のステップまたはユニットを含み得る。
【００７０】
本出願の実施形態は、ユーザ機器がサービスデータを正常に送信するように、クロスサイトレジュームシナリオで、有効なユーザプレーンリンクを確立するためにユーザプレーンリンク確立方法を提供する。
【００７１】
本出願の実施形態のユーザプレーンリンク確立方法、基地局、およびモビリティ管理デバイスは、様々な通信システム、例えば、グローバル・システム・フォー・モバイル・コミュニケーションズ（Global System of Mobile communication、GSM）、符号分割多元接続（Code Division Multiple Access、CDMA）システム、広帯域符号分割多元接続（Wideband Code Division Multiple Access、WCDMA（登録商標、以下同じ））システム、汎用パケット無線サービス（General Packet Radio Service、GPRS）、ロングタームエボリューション（Long Term Evolution、LTE）システム、LTE周波数分割複信（Frequency Division Duplex、FDD）システム、LTE時分割複信（Time Division Duplex、TDD）、ユニバーサル移動通信システム（Universal Mobile Telecommunication System、UMTS）、ワールドワイド・インターオペラビリティ・フォー・マイクロウェーブ・アクセス（Worldwide Interoperability for Microwave Access、WiMAX）通信システム、第5世代（5th−Generation、5G）移動通信システム、または後の発展された移動通信システムに適用され得ることを理解されたい。
【００７２】
本出願の実施形態のユーザ機器は、移動局（Mobile Station、MS）、モバイル端末（Mobile Terminal）、携帯電話（Mobile Telephone）、ハンドセット（handset）、および携帯機器（portable equipment）などを含むが、これらに限定されないことを理解されたい。ユーザ機器は、無線アクセスネットワーク（Radio Access Network、RAN）を使用して1つ以上のコアネットワークと通信し得る。例えば、ユーザ機器は、携帯電話（または「セルラー」電話と呼ばれ得る）であり得、またはワイヤレス通信機能を有するコンピュータであり得る。あるいは、ユーザ機器は、携帯型の、ポケットサイズの、手持ち型の、コンピュータ内蔵の、または車載型のモバイル装置であり得る。
【００７３】
本出願の実施形態の基地局は、GSMもしくはCDMAの基地トランシーバ局（Base Transceiver Station、BTS）、またはWCDMAのノードB（NodeB）、またはLTEの発展型ノードB（evolved NodeB、eNBもしくはe−NodeB）であり得る。これは本出願の実施形態では限定されない。
【００７４】
本出願の実施形態の理解を容易にするために、以下では、本出願の実施形態の技術的背景を説明する。
【００７５】
狭帯域のモノのインターネットのシナリオでは、基地局とUEとの間にサスペンド−レジューム（suspend−resume）メカニズムがある。このメカニズムの目的は、UEのエネルギー消費を低減するために、無線リソース制御（Radio Resource Control、RRC）接続モード（connected mode）と無線リソース制御（Radio Resource Control、RRC）アイドルモード（idle mode）との間でのUEの切り替え中に交換される必要がある情報の量を低減することである。具体的には、ユーザ機器がRRC接続を必要としない場合、基地局は、解放メッセージをユーザ機器に送信し得る。解放メッセージは、レジューム（resume）識別子および解放原因を含み、これにより、ユーザ機器は、サスペンドモードに入る。この場合、基地局は、RRC接続モードでユーザ機器によって使用される無線アクセスベアラおよび関連するセキュリティ構成などの情報を保存する。ユーザ機器がデータを送信する必要があるとき、言い換えれば、ユーザ機器がRRC接続を必要とするとき、ユーザ機器は、レジューム識別子を伝送するレジューム要求を基地局に送信する必要だけがあり、基地局は、レジューム識別子を使用してユーザ機器を識別し、ユーザ機器のステータスをレジューム（resume）し得る。具体的には、ユーザ機器および基地局は、関連する構成情報の交換をスキップし、データを直接送信し得る。
【００７６】
言い換えれば、サスペンドモードが、狭帯域のモノのインターネットのシナリオに新しく追加される。レジューム識別子および解放原因を含む解放メッセージを受信すると、ユーザ機器は、サスペンドモードに入る。具体的には、ユーザ機器はサスペンド状態にあると見なされる。一方、基地局側は、サスペンド状態のユーザ機器の無線アクセスベアラおよび関連するセキュリティ構成などの情報を保存する。ユーザ機器が、データを送信するためにサスペンドモードからRRC接続モードに切り替わる必要がある場合、ユーザ機器は、ステータスレジューム手順を最初に開始する必要があり、具体的には、ユーザ機器は、レジューム識別子を基地局に送信し、これにより、基地局は、ユーザ機器に対応する無線アクセスベアラおよびセキュリティ構成などの情報をレジュームする。
【００７７】
本出願の実施形態の理解を容易にするために、以下では、本出願の実施形態が適用可能であるシステムアーキテクチャの1つについて最初に簡単に説明する。図1に示されているように、システムは、2つの部分、すなわちアクセスネットワークおよびコアネットワークを含む。アクセスネットワークは、発展型UMTS地上無線アクセスネットワーク（Evolved UMTS Terrestrial Radio Access Network、E−UTRAN）と呼ばれ、コアネットワークは、発展型パケットコア（Evolved Packet Core、EPC）と呼ばれる。
【００７８】
E−UTRANは、ユーザ機器および基地局などのネットワーク要素を主に含む。EPCは、モビリティ管理デバイス（Mobility Management Entity、MME）、サービングゲートウェイ（Serving Gateway、SGW）、パブリックデータネットワークゲートウェイ（Public Data Network Gateway、PGW）、ならびにポリシーおよび課金ルール課金ユニット（Policy and Charging Rules Function、PCRF）を主に含む。
【００７９】
MMEは、シグナリング処理を主に担当する。特定の機能は、アクセス制御、モビリティ管理、セッション管理、ならびにSGWおよびPGWの選択などを含む。
【００８０】
SGWの主な機能は、MMEの制御下でデータパケットをルーティングおよび転送することであり、具体的には、受信されたユーザデータを指定されたPGWに転送することである。
【００８１】
PCWの主な機能は、セッションおよびベアラ管理ならびにインターネットプロトコル（Internet Protocol、IP）アドレスの割り当てなどを含む。
【００８２】
PCRFは、利用可能な測定および課金制御の決定を提供するために主に使用される。
【００８３】
IPプロトコルサービスは、IPプロトコルベースのサービス、例えば、IPマルチメディアサブシステム（IP Multimedia Subsystem、IMS）サービスである。
【００８４】
E−UTRAN無線インタフェースプロトコルアーキテクチャにおいて、プロトコルスタックは、ユーザプレーンと制御プレーンとに分けられる。サービスおよびアプリケーションデータを送信するためのプレーンは、ユーザプレーンと呼ばれ、ユーザプレーンは、ユーザのアプリケーションデータを伝送する。例えば、ユーザが携帯電話を使用してインターネットにアクセスしたときにユーザによって読まれる、ウェブページ上のコンテンツおよびチャットコンテンツはすべて、ユーザプレーンを使用して送信される。ユーザプレーンのリンク構成が図1に示されている。シグナリング情報を送信するためのプレーンは、制御プレーンと呼ばれ、制御プレーンは、ユーザとネットワークとの間の相互作用制御情報を伝送する。例えば、ユーザがインターネットにアクセスするとき、ユーザとネットワークとの間のリンクの確立、維持、および解放はすべて、制御プレーンを使用して遂行される。制御プレーンのリンク構成が図1に示されている。
【００８５】
Uuインタフェースは、ユーザ機器と基地局との間の通信インタフェースである。Uuインタフェースは、2つのインタフェースに分けられ得る。一方のインタフェースは、制御プレーンでの送信に、例えばRRCシグナリングメッセージに使用される。他方のインタフェースは、ユーザプレーンでの送信に、例えばブロードキャストメッセージに使用される。
【００８６】
S1インタフェースは、基地局とコアネットワークとの間の通信インタフェースであり、2つのインタフェースに分けられ得る。一方のインタフェースは、S1−MMEインタフェースと呼ばれる。S1−MMEインタフェースは、基地局とモビリティ管理デバイスとの間のインタフェースであり、制御プレーンでの送信に、例えば発展型無線アクセスベアラ（Evolved Radio Access Bearer、E−RAB）管理情報に使用される。他方のインタフェースは、S1−Uインタフェースと呼ばれる。S1−Uインタフェースは、基地局とサービングゲートウェイとの間のインタフェースであり、ユーザプレーンでの送信に、例えばハイパーテキスト転送プロトコルデータに使用される。
【００８７】
S11インタフェースは、モビリティ管理デバイスとサービングゲートウェイとの間の通信インタフェースであり、制御プレーンでの送信に、例えば、セッションの作成およびセッションの削除などの命令に使用される。
【００８８】
S5インタフェースは、サービングゲートウェイとパブリックデータネットワークゲートウェイとの間の通信インタフェースである。S5インタフェースは、2つのインタフェースに分けられ得る。一方のインタフェースは、制御プレーンでの送信に使用され、他方のインタフェースは、ユーザプレーンでの送信に使用される。S8は、ローミング時の、サービングゲートウェイとパブリックデータネットワークゲートウェイとの間の通信インタフェースである。S8インタフェースも、2つのインタフェースに分けられ得る。一方のインタフェースは、制御プレーンでの送信に使用され、他方のインタフェースは、ユーザプレーンでの送信に使用される。
【００８９】
Gxインタフェースは、パブリックデータネットワークゲートウェイとPCRFとの間の通信インタフェースであり、制御プレーンでの送信に使用される。
【００９０】
Rxインタフェースは、PCRFと外部インターネットとの間の通信インタフェースであり、制御プレーンでの送信に使用される。
【００９１】
SGiは、パブリックデータネットワークゲートウェイと外部インターネットとの間の通信インタフェースであり、ユーザプレーンでの送信に使用される。
【００９２】
図1のモビリティ管理デバイスは名称に過ぎず、この名称は、デバイスを限定するものではないことを理解されたい。例えば、「モビリティ管理デバイス」は、「モビリティ管理ノード」、「モビリティ管理エンティティ」、または別の名称に置き換えられ得る。加えて、モビリティ管理デバイスは、モビリティ管理機能に加えて別の機能を含むデバイスに対応し得る。本明細書では統一された記述が提供され、以下において詳細は再度説明されない。
【００９３】
以下では、本出願の実施形態のユーザプレーンリンク送信方法を最初に説明する。図2を参照すると、本出願の実施形態のユーザプレーンリンク送信方法の一実施形態は、以下のステップを含む。
【００９４】
201．第1の基地局は、取得要求を第2の基地局に送信する。
【００９５】
ユーザ機器がサスペンド条件を満たしている場合、第2の基地局は、ユーザ機器がサスペンドモードに入ること可能にするために、言い換えれば、ユーザ機器がサスペンド状態になることを可能にするために解放メッセージを配信する。解放メッセージはユーザ機器に対応するレジューム識別子を伝送することを理解されたい。
【００９６】
ユーザ機器が、第2の基地局に接続され、データを送信する必要があるとき、ユーザ機器は、ステータスレジューム手順を開始する。具体的には、ユーザ機器は、ユーザ機器に対応するレジューム識別子をレジューム要求に追加し、レジューム要求を第1の基地局に送信する。要求を受信した後、第1の基地局は、取得要求を第2の基地局に送信する。取得要求は、レジューム識別子を含む。
【００９７】
レジューム識別子は、通常は40ビットのデータであり、その場合、データの最初の20ビットは、サスペンドサイトを識別するために使用され、データの最後の20ビットは、サスペンドサイトによって定義されることを理解されたい。本出願のこの実施形態のサスペンドサイトは、第2の基地局を指す。
【００９８】
202．第1の基地局は、応答メッセージを受信する。
【００９９】
取得要求を受信した後、第2の基地局は、レジューム識別子に対応するユーザ機器を決定し、ユーザ機器に対応するピアアドレスを決定し、次に応答メッセージを第1の基地局に送信する。応答メッセージは、ピアアドレスを含む。第1の基地局は、応答メッセージを受信し、ピアアドレスを取得する。
【０１００】
本出願のこの実施形態では、ピアアドレスは、ユーザ機器に対応するユーザプレーン上のコアネットワークエンドにおけるネットワーク要素のアドレスであることを理解されたい。具体的には、LTEネットワークでは、ピアアドレスは、S1−Uインタフェースのピアアドレスである。しかしながら、別の通信ネットワークでは、ピアアドレスは、別のインタフェースのピアアドレスであり得る。これは本明細書では具体的に限定されない。
【０１０１】
203．第1の基地局は、ピアアドレスに基づいて、ユーザ機器に対応するユーザプレーンリンクを確立する。
【０１０２】
ピアアドレスを取得した後、第1の基地局は、第1の基地局と、ピアアドレスに対応するネットワーク要素との通信接続を確立する、言い換えれば、ユーザ機器に対応するユーザプレーンリンクを確立する。
【０１０３】
本出願のこの実施形態では、第1の基地局がサスペンドされたユーザ機器のステータスをレジュームするプロセスにおいて、第1の基地局は、ピアアドレスを取得し、ピアアドレスに基づいて、ユーザ機器に対応するユーザプレーンリンクを確立し得、これにより、ユーザ機器は、サービスデータを正常に送信し得る。
【０１０４】
上記は、第1の基地局の観点から本出願の実施形態のユーザプレーンリンク確立方法を説明している。以下では、第2の基地局の観点から本出願の実施形態のユーザプレーンリンク確立方法を説明する。図3を参照すると、本出願の実施形態のユーザプレーンリンク確立方法の別の実施形態は、以下のステップを含む。
【０１０５】
301．第2の基地局は、第1の基地局によって送信された取得要求を受信する。
【０１０６】
第1の基地局が、ユーザ機器に対応するサスペンドサイトが第2の基地局であると判断し、ユーザ機器のステータスをレジュームする必要があるとき、第1の基地局は、取得要求を第2の基地局に送信し、第2の基地局は、取得要求を受信する。取得要求は、ユーザ機器に対応するレジューム識別子を伝送する。
【０１０７】
レジューム識別子は、通常は40ビットのデータであり、その場合、データの最初の20ビットは、サスペンドサイトを識別するために使用され、データの最後の20ビットは、サスペンドサイトによって定義されることを理解されたい。本出願のこの実施形態のサスペンドサイトは、第2の基地局を指す。
【０１０８】
302．第2の基地局は、取得要求に基づいてピアアドレスを決定する。
【０１０９】
取得要求を受信した後、第2の基地局は、取得要求で伝送されたレジューム識別子を識別し、レジューム識別子に対応するユーザ機器を決定し、次に、ユーザ機器のデータを送信するために使用されるユーザプレーンリンク上のコアネットワークエンドにおけるネットワーク要素のアドレス、すなわちピアアドレスを決定する。具体的には、LTEネットワークでは、ピアアドレスは、S1−Uインタフェースのピアアドレスである。しかしながら、別の通信ネットワークでは、ピアアドレスは、別のインタフェースのピアアドレスであり得る。これは本明細書では具体的に限定されない。
【０１１０】
303．第2の基地局は、応答メッセージを第1の基地局に送信する。
【０１１１】
ユーザ機器のピアアドレスを決定した後、第2の基地局は、ピアアドレスを応答メッセージに追加し、次に応答メッセージを第1の基地局に送信する。応答メッセージを受信した後、第1の基地局は、第1の基地局と、ピアアドレスに対応するネットワーク要素との間のユーザプレーンリンクを確立し得る。
【０１１２】
本出願のこの実施形態では、第1の基地局がユーザ機器のステータスをレジュームするプロセスにおいて、第2の基地局は、ピアアドレスを第1の基地局に送信し、これにより、第1の基地局は、ピアアドレスに基づいて、ユーザ機器に対応するユーザプレーンリンクを確立し得、ユーザ機器は、サービスデータを正常に送信し得る。
【０１１３】
本出願の実施形態の理解を容易にするために、以下では、相互作用の実施形態を使用して本出願の実施形態のユーザプレーンリンク確立方法を説明する。図4を参照すると、本出願の実施形態のユーザプレーンリンク確立方法の別の実施形態は、以下のステップを含む。
【０１１４】
401．第1の基地局は、取得要求を第2の基地局に送信する。
【０１１５】
ユーザ機器がサスペンド条件を満たしている場合、第2の基地局は、ユーザ機器がサスペンドモードに入ること可能にするために、言い換えれば、ユーザ機器がサスペンド状態になることを可能にするために解放メッセージを配信する。加えて、第2の基地局は、サスペンド状態に入る必要があるユーザ機器にレジューム識別子を割り当て、レジューム識別子を解放メッセージに追加する。
【０１１６】
ユーザ機器が、第1の基地局に接続され、データを送信する必要があるとき、ユーザ機器は、ステータスレジューム手順を開始する。具体的には、ユーザ機器は、ユーザ機器に対応するレジューム識別子をRRC接続要求に追加し、RRC接続要求を第1の基地局に送信する。要求を受信した後、第1の基地局は、取得要求を第2の基地局に送信する。取得要求は、ユーザ機器のコンテキスト情報を取得するために使用され、取得要求は、レジューム識別子を含む。
【０１１７】
取得要求は、具体的にはUEコンテキスト検索要求（retrieve UE context request）であり得、または別の要求であり得ることを理解されたい。これは本明細書では具体的に限定されない。
【０１１８】
本出願のこの実施形態では、第1の基地局および第2の基地局は、X2インタフェースを介して互いに通信し得、または別の方法で互いに通信し得ることをさらに理解されたい。これは本明細書では具体的に限定されない。
【０１１９】
402．第2の基地局は、取得要求に基づいてピアアドレスを決定する。
【０１２０】
第1の基地局の取得要求を受信した後、第2の基地局は、取得要求内のレジューム識別子に基づいてユーザ機器のコンテキスト情報を決定する。加えて、第2の基地局は、ユーザ機器に対応するユーザプレーン上のコアネットワークエンドにおけるネットワーク要素のアドレス、すなわちピアアドレスをさらに決定する。
【０１２１】
403．第2の基地局は、応答メッセージを第1の基地局に送信する。
【０１２２】
コンテキスト情報およびピアアドレスを決定した後、第2の基地局は、コンテキスト情報およびピアアドレスを応答メッセージに追加し、次に、コンテキスト情報およびピアアドレスを含む応答メッセージを第1の基地局に送信する。本出願のこの実施形態では、応答メッセージは、UEコンテキスト検索応答（retrieve UE context response）であり得、または別のメッセージであり得る。これは本明細書では具体的に限定されない。
【０１２３】
具体的には、第2の基地局は、1つ以上の拡張情報要素を応答メッセージに追加し、次に、ピアアドレスを拡張情報要素に追加し得る。
【０１２４】
拡張情報要素は、アップリンク汎用パケット無線サービストンネリングプロトコル（General Packet Radio Service Tunnelling Protocol、GTP）トンネルノード情報であり得、または他の情報、例えば、ピアアドレスを示すために特別に使用される新しく定義された情報要素、もしくはピアアドレス指示機能も有し、かつシステム内に存在する別の情報要素であり得る。これは本明細書では1つずつリストされない。
【０１２５】
拡張情報要素は、コンテキスト情報内の情報要素であり得、またはコンテキスト情報から独立した別の情報要素であり得ることを理解されたい。これは本明細書では具体的に限定されない。言い換えれば、本出願のこの実施形態では、ピアアドレスは、コンテキスト情報に含まれ、第1の基地局に送信され得るか、またはピアアドレスおよびコンテキスト情報は分離され得、コンテキスト情報およびピアアドレスは、第1の基地局に同時に送信される。
【０１２６】
抽象構文記法（Abstract Syntax Notation One、ASN．1）プロトコルでは、アップリンクGTPトンネルノードは、S1インタフェースに接続されるSGWノードとして定義され、アップリンクパケットデータユニット（packet data unit、PDU）を送信するために使用されることを理解されたい。言い換えれば、アップリンクGTPトンネルノードは、ピアアドレスを示すために使用され得る。ピアアドレスは、具体的にはSGWのIPアドレスであり得る。SGWのIPアドレスに加えて、ピアアドレスは、具体的には、コアネットワーク内の基地局との間でユーザプレーンデータを送信するために使用されるネットワーク要素のアドレスであり得ることに留意されたい。これは本明細書では具体的に限定されない。
【０１２７】
本出願のこの実施形態では、コンテキスト情報は、確立される必要があるE−RAB、E−RABの識別子、および各E−RABレベルのサービス品質パラメータまたはベアラタイプを含み得、他の情報をさらに含み得ることに留意されたい。これは本明細書では具体的に限定されない。情報およびアップリンクGTPトンネルノード情報は、E−RAB確立リスト内のコンテンツとして応答メッセージで伝送され得る。コンテキスト情報およびアップリンクGTPトンネルノード情報に加えて、応答メッセージは、取得要求に応答するために使用される他の情報をさらに含み得る。これは本明細書では限定されない。
【０１２８】
404．第1の基地局は、ピアアドレスに基づいて、ユーザ機器に対応するユーザプレーンリンクを確立する。
【０１２９】
第2の基地局によって送信された応答メッセージを受信した後、第1の基地局は、ユーザ機器のステータスをレジュームし、これにより、ユーザ機器は、サスペンド前のステータスにレジュームされる。具体的には、第1の基地局は、応答メッセージ内のコンテキスト情報に基づいてユーザ機器の無線アクセスベアラおよびセキュリティ構成などの情報をレジュームし、第1の基地局とピアアドレスに対応するネットワーク要素との間のユーザプレーンリンクをさらに確立し得る。
【０１３０】
具体的には、第1の基地局は、アップリンクGTPトンネルノード情報によって示されるピアアドレスに基づいてコアネットワーク内のターゲットSGWを決定し、次に、S1−Uインタフェースを介して第1の基地局とターゲットSGWとの間のユーザプレーンリンクを確立し得る。
【０１３１】
加えて、第1の基地局がユーザ機器のステータスをレジュームするプロセスにおいて、第1の基地局は、リンク切り替え要求（path switch request）をコアネットワーク内のモビリティ管理デバイスにさらに送信し得、これにより、コアネットワーク側は、ユーザプレーンリンク切り替え情報を正常に更新し得る。
【０１３２】
第1の基地局がユーザプレーンリンクを正常に確立し、ユーザプレーンリンク切り替え情報がコア側で更新された後、ユーザ機器は、ユーザプレーンリンクを使用してサービスデータを送信し得る。例えば、ユーザが携帯電話を使用してインターネットにアクセスするとき、携帯電話は、インターネットアクセス要求を第1の基地局に送信し、第1の基地局は、ユーザプレーンリンクを使用してインターネットアクセス要求をターゲットSGWに送信し、ターゲットSGWは、MMEの制御下でインターネットアクセス要求を対応するサーバに送信し、次に、サーバは、ユーザプレーンリンクを使用して、インターネットアクセス要求に対応するリソースを携帯電話に返し、これにより、ユーザは、インターネットに正常にアクセスし得る。
【０１３３】
本出願のこの実施形態では、第1の基地局がユーザ機器のステータスをレジュームするプロセスにおいて、第2の基地局は、ピアアドレスを第1の基地局に送信し、これにより、第1の基地局は、ピアアドレスに基づいて、ユーザ機器に対応するユーザプレーンリンクを確立し得、ユーザ機器は、サービスデータを正常に送信し得る。
【０１３４】
加えて、本出願のこの実施形態は、ピアアドレスを第1の基地局に送信する複数の方法を提供し、その結果、解決策の柔軟性を改善する。
【０１３５】
本出願の一実施形態は、別のユーザプレーンリンク確立方法をさらに提供する。図5を参照すると、本出願の実施形態のユーザプレーンリンク確立方法の別の実施形態は、以下のステップを含む。
【０１３６】
501．第1の基地局は、ユーザ機器に対応するリンク切り替え要求をモビリティ管理デバイスに送信する。
【０１３７】
サスペンド状態のユーザ機器がデータを送信する必要があるとき、ユーザ機器は、ユーザ機器のステータスをレジュームするように第1の基地局に要求する。第1の基地局がユーザ機器のステータスをレジュームするプロセスにおいて、第1の基地局は、モビリティ管理デバイスに、ユーザ機器に対応するリンク切り替え要求（path switch request）を送信する、具体的には、ユーザ機器に対応するサービスデータ送信チャネルを変更するように要求する。
【０１３８】
502．第1の基地局は、リンク切り替え要求に対応する肯定応答メッセージを受信する。
【０１３９】
リンク切り替え要求を受信した後、モビリティ管理デバイスは、リンク切り替え要求に基づいてユーザプレーンリンク切り替え情報を更新する、具体的には、ユーザ機器に対応する無線アクセスベアラのノードを第2の基地局から第2の基地局に切り替える。切り替えが成功した後、モビリティ管理デバイスは、リンク切り替え要求肯定応答メッセージ（path switch request acknowledge）を第1の基地局に送信する。肯定応答メッセージは、ピアアドレスを含む。
【０１４０】
本出願のこの実施形態では、ピアアドレスは、ユーザ機器に対応するユーザプレーン上のコアネットワークエンドにおけるネットワーク要素のアドレスであることを理解されたい。具体的には、LTEネットワークでは、ピアアドレスは、S1−Uインタフェースのピアアドレスである。しかしながら、別の通信ネットワークでは、ピアアドレスは、別のインタフェースのピアアドレスであり得る。これは本明細書では具体的に限定されない。より具体的には、ピアアドレスは、SGWのIPアドレスであり得、または別のネットワーク要素のアドレスであり得る。これは本明細書では具体的に限定されない。
【０１４１】
リンク切り替え要求肯定応答メッセージは、発展型無線アクセスベアラ（Evolved Radio Access Bearer、E−RAB）切り替えアップリンクリストを含み、E−RAB切り替えアップリンクリストは、アップリンクベアラ情報を含むことに留意されたい。本出願のこの実施形態では、アップリンクベアラ情報内のトランスポート層アドレスが、本出願のこの実施形態のピアアドレスである。トランスポート層アドレスに加えて、アップリンクベアラ情報は、E−RAB識別子およびGTPトンネルエンドポイント識別子などの他の情報をさらに含み得ることをさらに理解されたい。これは本明細書では具体的に限定されない。
【０１４２】
503．第1の基地局は、ピアアドレスに基づいて、ユーザ機器に対応するユーザプレーンリンクを確立する。
【０１４３】
肯定応答メッセージを受信した後、第1の基地局は、第1の基地局と、ピアアドレスに対応するネットワーク要素との間のユーザプレーンリンクを確立し得る。具体的には、第1の基地局は、アップリンクベアラ情報内のトランスポート層アドレスに基づいてターゲットSGWを決定し、S1−Uインタフェースを介して第1の基地局とターゲットSGWとの間のユーザプレーンリンクを確立し得、次に、ユーザ機器は、ユーザプレーンリンクを使用してサービスデータをコアネットワークに送信し得る。
【０１４４】
本出願のこの実施形態では、第1の基地局は、モビリティ管理デバイスによって返されるリンク切り替え肯定応答メッセージ内のピアアドレスを取得し、次に、ピアアドレスに基づいて、ユーザ機器に対応するユーザプレーンリンクを確立し得、これにより、ユーザ機器は、サービスデータを正常に送信し得る。
【０１４５】
上記は、本出願の実施形態のユーザプレーンリンク確立方法を説明している。以下では、本出願の実施形態の基地局を説明する。図6を参照すると、本出願の実施形態の基地局の一実施形態は、
取得要求を第2の基地局に送信するように構成される送信モジュール601と、
応答メッセージを受信するように構成される受信モジュール602であって、応答メッセージが、ピアアドレスを含む、受信モジュール602と、
受信モジュール602によって受信されるピアアドレスに基づいて、ユーザ機器に対応するユーザプレーンリンクを確立するように構成される処理モジュール603とを含む。
【０１４６】
図6に対応する実施形態において、基地局内のモジュールによって実行される手順は、図2および図4に示されている実施形態で説明された方法の手順と同様である。本明細書では詳細は再度説明されない。
【０１４７】
本出願のこの実施形態では、基地局がサスペンドされたユーザ機器のステータスをレジュームするプロセスにおいて、基地局は、受信モジュール602を使用してピアアドレスを取得し得、処理モジュール603は、ピアアドレスに基づいて、ユーザ機器に対応するユーザプレーンリンクを確立し得、これにより、ユーザ機器は、サービスデータを正常に送信し得る。
【０１４８】
図6に対応する基地局に基づいて、本出願の実施形態の基地局の別の実施形態では、応答メッセージは、拡張情報要素を含み得、拡張情報要素は、ピアアドレスを示すために使用されることを理解されたい。具体的には、拡張情報要素は、コンテキスト情報内の情報要素であり得、またはコンテキスト情報から独立した別の情報要素であり得る。より具体的には、拡張情報要素は、アップリンクGTPトンネルノード情報であり得、または他の情報であり得る。これは本明細書では具体的に限定されない。
【０１４９】
図6に対応する基地局に基づいて、本出願の実施形態の基地局の別の実施形態では、ピアアドレスは、サービングゲートウェイのインターネットプロトコルアドレスを含み得ることを理解されたい。図7を参照すると、本出願の実施形態で提供される基地局の別の実施形態は、
ユーザ機器に対応するリンク切り替え要求をモビリティ管理デバイスに送信するように構成される送信モジュール701と、
リンク切り替え要求に対応する肯定応答メッセージを受信するように構成される受信モジュール702であって、肯定応答メッセージが、ピアアドレスを含む、受信モジュール702と、
受信モジュール702によって受信されるピアアドレスに基づいて、ユーザ機器に対応するユーザプレーンリンクを確立するように構成される確立モジュール703とを含む。
【０１５０】
図7に対応する実施形態において、基地局内のモジュールによって実行される手順は、図5に示されている実施形態で説明された方法の手順と同様である。本明細書では詳細は再度説明されない。
【０１５１】
本出願のこの実施形態では、第1の基地局は、モビリティ管理デバイスによって返されるリンク切り替え肯定応答メッセージ内のピアアドレスを受信モジュール702を使用して取得し得る。次に、確立モジュール703は、ピアアドレスに基づいて、ユーザ機器に対応するユーザプレーンリンクを確立し得、これにより、ユーザ機器は、サービスデータを正常に送信し得る。
【０１５２】
図7に対応する基地局に基づいて、本出願の実施形態の基地局の別の実施形態では、ピアアドレスは、サービングゲートウェイのインターネットプロトコルアドレスを含み得ることを理解されたい。
【０１５３】
図8を参照すると、本出願の実施形態で提供される基地局の別の実施形態は、
第1の基地局によって送信される取得要求を受信するように構成される受信モジュール801と、
受信モジュール801によって受信される取得要求に基づいてピアアドレスを決定するように構成される決定モジュール802と、
応答メッセージを第1の基地局に送信するように構成される送信モジュール803であって、応答メッセージが、ピアアドレスを含む、送信モジュール803とを含む。
【０１５４】
図8に対応する実施形態において、基地局内のモジュールによって実行される手順は、図3および図4に示されている実施形態で説明された方法の手順と同様である。本明細書では詳細は再度説明されない。
【０１５５】
本出願のこの実施形態では、第1の基地局がユーザ機器のステータスをレジュームするプロセスにおいて、第2の基地局は、送信モジュール803を使用してピアアドレスを第1の基地局に送信し、これにより、第1の基地局は、ピアアドレスに基づいて、ユーザ機器に対応するユーザプレーンリンクを確立し得、ユーザ機器は、サービスデータを正常に送信し得る。
【０１５６】
図8に対応する基地局に基づいて、本出願の実施形態の基地局の別の実施形態では、基地局は、
拡張情報要素を応答メッセージに追加するように構成される伝送モジュールであって、拡張情報要素が、ピアアドレスを示すために使用される、伝送モジュールをさらに含み得ることを理解されたい。
【０１５７】
具体的には、拡張情報要素は、コンテキスト情報内の情報要素であり得、またはコンテキスト情報から独立した別の情報要素であり得る。より具体的には、拡張情報要素は、アップリンクGTPトンネルノード情報であり得、または他の情報であり得る。これは本明細書では具体的に限定されない。
【０１５８】
図8に対応する基地局に基づいて、本出願の実施形態の基地局の別の実施形態では、ピアアドレスは、サービングゲートウェイのインターネットプロトコルアドレスを含み得ることを理解されたい。
【０１５９】
上記は、機能モジュールの観点から本出願の実施形態の基地局を説明し、以下では、エンティティハードウェアの観点から本出願の実施形態の基地局を説明する。図9は、本出願の一実施形態による基地局の概略構成図であり、基地局900は、異なる構成または性能に起因して大きく異なり得、1つ以上の中央処理装置（central processing units、CPU）922（例えば、1つ以上のプロセッサ）と、メモリ932と、アプリケーションプログラム942またはデータ944を記憶する1つ以上の記憶媒体930（例えば、1つ以上の大容量記憶デバイス）とを含み得る。メモリ932および記憶媒体930は、一時記憶または永久記憶に使用され得る。記憶媒体930に記憶されるプログラムは、1つ以上のモジュール（図に示されていない）を含み得、各モジュールは、基地局のための一連の命令動作を含み得る。さらに、中央処理装置922は、記憶媒体930内の一連の命令動作を基地局900で実行するために記憶媒体930と通信するように構成され得る。
【０１６０】
基地局900は、1つ以上の電源926、1つ以上の有線もしくはワイヤレスネットワークインタフェース950、1つ以上の入力／出力インタフェース958、ならびに／またはWindows ServerTM、Mac OS XTM、UnixTM、LinuxTM、およびFreeBSDTMなどの1つ以上のオペレーティングシステム941をさらに含み得る。
【０１６１】
図2から図5に示されている実施形態で基地局によって実行されるステップは、図9に示されている基地局構造に基づき得る。
【０１６２】
本出願の一実施形態は、コンピュータ可読記憶媒体をさらに提供する。コンピュータ可読記憶媒体は、本出願の実施形態で基地局によって使用されるコンピュータソフトウェア命令を記憶するように構成され、コンピュータ可読記憶媒体は、基地局用に設計されたプログラムを含む。
【０１６３】
基地局は、図2から図5に示されている実施形態で説明された基地局であり得る。
【０１６４】
本出願の一実施形態は、コンピュータプログラム製品をさらに提供する。コンピュータプログラム製品は、コンピュータソフトウェア命令を含む。コンピュータソフトウェア命令は、図2から図5のいずれか1つのユーザプレーンリンク確立方法の手順を実施するためにプロセッサによってロードされ得る。
【０１６５】
上記の実施形態の全部または一部は、ソフトウェア、ハードウェア、ファームウェア、またはこれらの任意の組み合わせを使用して実施され得る。ソフトウェアを使用して実施形態が実施される場合、実施形態の全部または一部は、コンピュータプログラム製品の形態で実施され得る。
【０１６６】
コンピュータプログラム製品は、1つ以上のコンピュータ命令を含む。コンピュータプログラム命令がコンピュータ上でロードされて実行されると、本出願の実施形態による手順または機能の全部または一部が生成される。コンピュータは、汎用コンピュータ、専用コンピュータ、コンピュータネットワーク、または別のプログラマブル装置であり得る。コンピュータ命令は、コンピュータ可読記憶媒体に記憶され得、またはあるコンピュータ可読記憶媒体から別のコンピュータ可読記憶媒体に送信され得る。例えば、コンピュータ命令は、有線（例えば、同軸ケーブル、光ファイバ、もしくはデジタル加入者回線（DSL））の方法またはワイヤレス（例えば、赤外線、無線、またはマイクロ波）の方法で、あるウェブサイト、コンピュータ、サーバ、またはデータセンタから別のウェブサイト、コンピュータ、サーバ、またはデータセンタに送信され得る。コンピュータ可読記憶媒体は、コンピュータによってアクセス可能な任意の使用可能な媒体、または1つ以上の使用可能な媒体を組み込んだ、サーバもしくはデータセンタなどのデータ記憶デバイスであり得る。使用可能な媒体は、磁気媒体（例えば、フロッピーディスク、ハードディスク、もしくは磁気テープ）、光学媒体（例えば、DVD）、または半導体媒体（例えば、ソリッドステートディスクSolid State Disk（SSD））などであり得る。
【０１６７】
簡便かつ簡単な説明のために、上記のシステム、装置、およびユニットの特定の動作プロセスについては、上記の方法の実施形態の対応するプロセスを参照すべきことが、当業者によって明確に理解され得る。詳細は本明細書では説明されない。
【０１６８】
本出願で提供されているいくつかの実施形態では、開示されているシステム、装置、および方法が別の方法で実施され得ることを理解されたい。例えば、上記の装置の実施形態は一例に過ぎない。例えば、ユニットの分割は、論理的な機能の分割に過ぎず、実際の実施時には他の分割であってもよい。例えば、複数のユニットまたはコンポーネントが、別のシステムに組み合わされるか、もしくは一体化されてもよく、または一部の特徴が無視されるか、もしくは実行されなくてもよい。加えて、示されたまたは述べられた相互結合または直接的な結合または通信接続は、いくつかのインタフェースを介して実施されてもよい。装置またはユニット間の間接的な結合または通信接続は、電子的な、機械的な、または他の形態で実施されてもよい。
【０１６９】
別々の部分として説明されているユニットは、物理的に別々であってもなくてもよく、ユニットとして提示されている部分は、物理的なユニットであってもなくてもよく、1つの位置に配置されても、複数のネットワークユニットに分散されてもよい。ユニットの一部または全部は、実施形態の解決策の目的を達成するために実際の要求に基づいて選択されてもよい。
【０１７０】
加えて、本出願の実施形態の機能ユニットは、1つの処理ユニットに一体化されてもよく、またはこれらのユニットの各々は、物理的に単独で存在してもよく、または2つ以上のユニットが、1つのユニットに一体化されてもよい。一体化ユニットは、ハードウェアの形態で実施されてもよく、またはソフトウェア機能ユニットの形態で実施されてもよい。
【０１７１】
一体化ユニットが、ソフトウェア機能ユニットの形態で実施され、独立した製品として販売または使用される場合、一体化ユニットは、コンピュータ可読記憶媒体に記憶されてもよい。こうした理解に基づいて、本質的に本出願の技術的解決策、または従来技術に寄与する部分、または技術的解決策の全部もしくは一部は、ソフトウェア製品の形態で実施されてもよい。コンピュータソフトウェア製品は、記憶媒体に記憶され、コンピュータデバイス（パーソナルコンピュータ、サーバ、またはネットワークデバイスなどであってもよい）に、本出願の実施形態で説明された方法のステップの全部または一部を実行するように命令するためのいくつかの命令を含む。上記の記憶媒体は、USBフラッシュドライブ、リムーバブルハードディスク、読み出し専用メモリ（英語完全名称：Read−Only Memory、略してROM）、ランダムアクセスメモリ（英語完全名称：Random Access Memory、略してRAM）、磁気ディスク、または光ディスクなど、プログラムコードを記憶し得る任意の媒体を含む。
【０１７２】
上記の実施形態は、本出願の技術的解決策を説明することを意図されているに過ぎず、本出願を限定することを意図されていない。本出願は、上記の実施形態を参照して詳細に説明されているが、当業者は、自分たちが、本出願の実施形態の技術的解決策の精神および範囲から逸脱することなく、上記の実施形態で説明された技術的解決策にさらに修正を加え得る、またはその技術的特徴の一部の同等の置き換えを行い得ることを理解するはずである。
【符号の説明】
【０１７３】
601  送信モジュール
602  受信モジュール
603  処理モジュール
701  送信モジュール
702  受信モジュール
703  確立モジュール
801  受信モジュール
802  決定モジュール
803  送信モジュール
900  基地局
922  中央処理装置
926  電源
930  記憶媒体
932  メモリ
941  オペレーティングシステム
942  アプリケーションプログラム
944  データ
950  有線またはワイヤレスネットワークインタフェース
958  入力／出力インタフェース
【図１】
2020519138.tif 000003
【図２】
2020519138.tif 000004
【図３】
2020519138.tif 000005
【図４】
2020519138.tif 000006
【図５】
2020519138.tif 000007
【図６】
2020519138.tif 000008
【図７】
2020519138.tif 000009
【図８】
2020519138.tif 000010
【図９】
2020519138.tif 000011
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
第1の基地局によって取得要求を第2の基地局に送信するステップと、
前記第1の基地局によって、前記取得要求に対応する応答メッセージを受信するステップであって、前記応答メッセージが、ピアアドレスを含む、ステップと、
前記第1の基地局によって前記ピアアドレスに基づいて、ユーザ機器に対応するユーザプレーンリンクを確立するステップと
を含む、ユーザプレーンリンク確立方法。
【請求項２】
前記応答メッセージが、拡張情報要素を含み、前記拡張情報要素が、前記ピアアドレスを示すために使用される、請求項1に記載の方法。
【請求項３】
前記拡張情報要素が、アップリンク汎用パケット無線サービストンネリングプロトコル（GTP）トンネルノード情報である、請求項2に記載の方法。
【請求項４】
前記応答メッセージが、前記ユーザ機器のコンテキスト情報を含み、前記拡張情報要素が、前記コンテキスト情報内の情報要素である、請求項2または3に記載の方法。
【請求項５】
前記ピアアドレスが、サービングゲートウェイ（SGW）のインターネットプロトコルIPアドレスを含む、請求項1から3のいずれか一項に記載の方法。
【請求項６】
第1の基地局によって、ユーザ機器に対応するリンク切り替え要求をモビリティ管理デバイス（MME）に送信するステップと、
前記第1の基地局によって、前記リンク切り替え要求に対応する肯定応答メッセージを受信するステップであって、前記肯定応答メッセージが、ピアアドレスを含む、ステップと、
前記第1の基地局によって前記ピアアドレスに基づいて、前記ユーザ機器に対応するユーザプレーンリンクを確立するステップと
を含む、ユーザプレーンリンク確立方法。
【請求項７】
前記ピアアドレスが、SGWのIPアドレスを含む、請求項6に記載の方法。
【請求項８】
第1の基地局によって送信された取得要求を第2の基地局によって受信するステップと、
前記第2の基地局によって、前記取得要求に基づいてピアアドレスを決定するステップと、
前記第2の基地局によって、応答メッセージを前記第1の基地局に送信するステップであって、前記応答メッセージが、前記ピアアドレスを含む、ステップと
を含む、ユーザプレーンリンク確立方法。
【請求項９】
前記第2の基地局によって、前記取得要求に基づいてピアアドレスを決定する前記ステップの後、かつ前記第2の基地局によって、応答メッセージを前記第1の基地局に送信する前記ステップの前に、前記方法が、
前記第2の基地局によって拡張情報要素を前記応答メッセージに追加するステップであって、前記拡張情報要素が、前記ピアアドレスを示すために使用される、ステップを含む、請求項8に記載の方法。
【請求項１０】
前記拡張情報要素が、アップリンクGTPトンネルノード情報である、請求項9に記載の方法。
【請求項１１】
前記応答メッセージが、ユーザ機器のコンテキスト情報を含み、前記拡張情報要素が、前記コンテキスト情報内の情報要素である、請求項9または10に記載の方法。
【請求項１２】
前記ピアアドレスが、サービングゲートウェイ（SGW）のインターネットプロトコルIPアドレスを含む、請求項8から10のいずれか一項に記載の方法。
【請求項１３】
取得要求を第2の基地局に送信するように構成される送信モジュールと、
前記取得要求に対応する応答メッセージを受信するように構成される受信モジュールであって、前記応答メッセージが、ピアアドレスを含む、受信モジュールと、
前記受信モジュールによって受信される前記ピアアドレスに基づいて、ユーザ機器に対応するユーザプレーンリンクを確立するように構成される処理モジュールと
を備える、基地局。
【請求項１４】
前記応答メッセージが、拡張情報要素を含み、前記拡張情報要素が、前記ピアアドレスを示すために使用される、請求項13に記載の基地局。
【請求項１５】
前記拡張情報要素が、アップリンクGTPトンネルノード情報である、請求項14に記載の基地局。
【請求項１６】
前記ピアアドレスが、SGWのIPアドレスを含む、請求項13から15のいずれか一項に記載の基地局。
【請求項１７】
前記応答メッセージが、前記ユーザ機器のコンテキスト情報を含み、前記拡張情報要素が、前記コンテキスト情報内の情報要素である、請求項14または15に記載の基地局。
【請求項１８】
ユーザ機器に対応するリンク切り替え要求をモビリティ管理デバイスMMEに送信するように構成される送信モジュールと、
前記リンク切り替え要求に対応する肯定応答メッセージを受信するように構成される受信モジュールであって、前記肯定応答メッセージが、ピアアドレスを含む、受信モジュールと、
前記受信モジュールによって受信される前記ピアアドレスに基づいて、前記ユーザ機器に対応するユーザプレーンリンクを確立するように構成される確立モジュールと
を備える、基地局。
【請求項１９】
前記ピアアドレスが、SGWのIPアドレスを含む、請求項18に記載の基地局。
【請求項２０】
第1の基地局によって送信される取得要求を受信するように構成される受信モジュールと、
前記受信モジュールによって受信される前記取得要求に基づいてピアアドレスを決定するように構成される決定モジュールと、
応答メッセージを前記第1の基地局に送信するように構成される送信モジュールであって、前記応答メッセージが、前記ピアアドレスを含む、送信モジュールと
を備える、基地局。
【請求項２１】
前記基地局が、
拡張情報要素を前記応答メッセージに追加するように構成される伝送モジュールであって、前記拡張情報要素が、前記ピアアドレスを示すために使用される、伝送モジュールをさらに備える、請求項20に記載の基地局。
【請求項２２】
前記拡張情報要素が、アップリンクGTPトンネルノード情報である、請求項21に記載の基地局。
【請求項２３】
前記ピアアドレスが、SGWのIPアドレスを含む、請求項20から22のいずれか一項に記載の基地局。
【請求項２４】
前記応答メッセージが、ユーザ機器のコンテキスト情報を含み、前記拡張情報要素が、前記コンテキスト情報内の情報要素である、請求項20または21に記載の基地局。
【請求項２５】
トランシーバ、メモリ、およびプロセッサを備える基地局であって、
前記メモリが、プログラムを記憶するように構成され、
前記プロセッサが、以下のステップ、すなわち、
取得要求を第2の基地局に送信するように前記トランシーバを制御するステップと、
前記取得要求に対応する応答メッセージを受信するように前記トランシーバを制御するステップであって、前記応答メッセージが、ピアアドレスを含む、ステップと、
前記ピアアドレスに基づいて、ユーザ機器に対応するユーザプレーンリンクを確立するステップとを実行するために前記メモリ内の前記プログラムを実行するように構成される、
基地局。
【請求項２６】
トランシーバ、メモリ、およびプロセッサを備える基地局であって、
前記メモリが、プログラムを記憶するように構成され、
前記プロセッサが、以下のステップ、すなわち、
ユーザ機器に対応するリンク切り替え要求をMMEに送信するように前記トランシーバを制御するステップと、
前記リンク切り替え要求に対応する肯定応答メッセージを受信するように前記トランシーバを制御するステップであって、前記肯定応答メッセージが、ピアアドレスを含む、ステップと、
前記ピアアドレスに基づいて、前記ユーザ機器に対応するユーザプレーンリンクを確立するステップとを実行するために前記メモリ内の前記プログラムを実行するように構成される、
基地局。
【請求項２７】
トランシーバ、メモリ、およびプロセッサを備える基地局であって、
前記メモリが、プログラムを記憶するように構成され、
前記プロセッサが、以下のステップ、すなわち、
第1の基地局によって送信される取得要求を受信するように前記トランシーバを制御するステップと、
前記取得要求に基づいてピアアドレスを決定するステップと、
応答メッセージを前記第1の基地局に送信するように前記トランシーバを制御するステップであって、前記応答メッセージが、前記ピアアドレスを含む、ステップとを実行するために前記メモリ内の前記プログラムを実行するように構成される、
基地局。
【請求項２８】
命令を記憶するように構成されるコンピュータ可読記憶媒体であって、前記命令がコンピュータ上で実行されると、前記コンピュータが、請求項1から12のいずれか一項に記載の方法を実行することが可能になる、コンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本出願は、2017年5月4日に中国国家知識産権局に提出された、「ユーザプレーンリンク確立方法、基地局、およびモビリティ管理デバイス」と題された中国特許出願第201710309637．2号の優先権を主張し、その全体は、参照により本明細書に組み込まれる。
【０００２】
本出願は、通信分野に関し、特に、ユーザプレーンリンク確立方法、基地局、およびモビリティ管理デバイスに関する。
【背景技術】
【０００３】
狭帯域のモノのインターネット（Narrow Band Internet of Things、NB−IoT）は、第3世代パートナーシッププロジェクト（3rd Generation Partnership Project、3GPP）標準化団体によって定義された技術標準であり、モノのインターネット用に特別に設計された狭帯域無線周波数技術である。NB−IoTは、セルラーネットワークに基づいて構築され、約180kHzの帯域幅しか消費しない。NB−IoTは、グローバル・システム・フォー・モバイル・コミュニケーションズ（Global System for Mobile Communication、GSM）、ユニバーサル移動通信システム（Universal Mobile Telecommunications System、UMTS）、およびロングタームエボリューション（Long Term Evolution、LTE）などのネットワークで直接展開され得る。
【０００４】
狭帯域のモノのインターネットのプロトコルでは、サイトでサスペンド（Suspend）された後、狭帯域のユーザ機器（User Equipment）は、別のサイト、すなわち非サスペンドサイトでレジューム（Resume）され得る。具体的には、ユーザ機器は、サスペンド前のステータスにレジュームされる。このプロセスは、クロスサイトレジュームと呼ばれている。
【０００５】
従来技術では、クロスサイトレジューム中に、ターゲット基地局（すなわち、非サスペンドサイト）は、UEコンテキスト検索要求（retrieve UE context request）をソース基地局（すなわち、サスペンドサイト）に送信し、次に、ソース基地局は、UEコンテキスト情報をターゲット基地局に返す。次に、ターゲット基地局は、UEコンテキスト情報に基づいてユーザ機器のステータスをレジュームし得る。
【０００６】
しかしながら、ターゲット基地局が従来技術でユーザ機器のステータスをレジュームするプロセスでは、ターゲット基地局は、ユーザ機器に対応するユーザプレーンリンクをレジュームする方法を知らず、その結果、ユーザ機器は、サービスデータを正常に送信し得ない。
【発明の概要】
【課題を解決するための手段】
【０００７】
本出願の一実施形態の第1の態様は、ユーザプレーンリンク確立方法を提供し、方法は以下を含む。
【０００８】
第1の基地局がサスペンド状態のユーザ機器をレジュームする必要があるとき、第1の基地局は、取得要求を第2の基地局に送信し、次に、第1の基地局は、第2の基地局によって返される応答メッセージを受信する。応答メッセージは、ピアアドレスを含む。第1の基地局は、ピアアドレスに基づいて、ユーザ機器に対応するユーザプレーンリンクを確立する。
【０００９】
ピアアドレスは、ユーザ機器に対応するユーザプレーンで基地局に接続されるコアネットワーク要素のアドレスであることを理解されたい。具体的には、LTEネットワークでは、ピアアドレスは、S1−Uインタフェースのピアアドレスである。
【００１０】
本出願のこの実施形態では、第1の基地局がサスペンドされたユーザ機器のステータスをレジュームするプロセスにおいて、第1の基地局は、ピアアドレスを取得し、ピアアドレスに基づいて、ユーザ機器に対応するユーザプレーンリンクを確立し得、これにより、ユーザ機器は、サービスデータを正常に送信し得る。
【００１１】
本出願の実施形態の第1の態様に関連して、本出願の実施形態の第1の態様の第1の実施態様では、応答メッセージは、拡張情報要素を含み得、拡張情報要素は、ピアアドレスを示すために使用される。
【００１２】
本出願のこの実施形態は、ピアアドレスを示す特定の方法を提供し、その結果、解決策の実施可能性を改善する。
【００１３】
本出願の実施形態の第1の態様の第1の実施態様に関連して、本出願の実施形態の第1の態様の第2の実施態様では、拡張情報要素は、アップリンクGTPトンネルノード情報である。
【００１４】
アップリンクGTPトンネルノードは、抽象構文記法プロトコルでS1インタフェースに接続されるSGWノードとして定義され、ノードは、アップリンクパケットデータユニットを送信するために使用されることを理解されたい。
【００１５】
本出願のこの実施形態では、ピアアドレスは、アップリンクGTPトンネルノード情報を使用して示され得、追加の拡張情報要素を定義する必要がなく、このため、解決策を実施する複雑さが低減される。本出願の実施形態の第1の態様または第1の態様の第1の実施態様もしくは第2の実施態様に関連して、本出願の実施形態の第1の態様の第3の実施態様では、ピアアドレスは、SGWのIPアドレスを含み得る。本出願のこの実施形態は、ユーザプレーンリンクを確立するための特定の実施態様を提供し、その結果、解決策の実施可能性を改善する。
【００１６】
本出願の実施形態の第1の態様の第1の実施態様または第2の実施態様に関連して、本出願の実施形態の第1の態様の第4の実施態様では、取得要求は、ユーザ機器のコンテキスト情報を取得するために使用され、応答メッセージは、ユーザ機器のコンテキスト情報を含む。この場合、拡張情報要素は、コンテキスト情報内の情報要素である。
【００１７】
本出願の実施形態の第2の態様は、ユーザプレーンリンク確立方法を提供し、方法は以下を含む。
【００１８】
第1の基地局がサスペンド状態のユーザ機器をレジュームする必要があるとき、第1の基地局は、UEコンテキスト検索要求を第2の基地局に送信する。第2の基地局がユーザ機器のコンテキスト情報を第1の基地局に返した後、第1の基地局は、ユーザ機器に対応するリンク切り替え要求をモビリティ管理デバイスに送信する。リンク切り替え要求に基づいてユーザ機器のユーザプレーンリンク情報を更新した後、モビリティ管理デバイスは、肯定応答メッセージを第1の基地局に返す。肯定応答メッセージは、ピアアドレスを含む。第1の基地局は、肯定応答メッセージを受信し、ピアアドレスに基づいて、ユーザ機器に対応するユーザプレーンリンクを確立する。
【００１９】
ピアアドレスは、ユーザ機器に対応するユーザプレーンで基地局に接続されるコアネットワーク要素のアドレスであることを理解されたい。具体的には、LTEネットワークでは、ピアアドレスは、S1−Uインタフェースのピアアドレスである。本出願のこの実施形態では、第1の基地局がユーザ機器のステータスをレジュームするプロセスにおいて、モビリティ管理デバイスは、ピアアドレスを第1の基地局に送信し、これにより、第1の基地局は、ピアアドレスに基づいて、ユーザ機器に対応するユーザプレーンリンクを確立し得、ユーザ機器は、サービスデータを正常に送信し得る。
【００２０】
本出願の実施形態の第2の態様に関連して、本出願の実施形態の第2の態様の第1の実施態様では、ピアアドレスは、サービングゲートウェイのインターネットプロトコルアドレスを含み得る。
【００２１】
本出願のこの実施形態は、ユーザプレーンリンクを確立するための特定の実施態様を提供し、その結果、解決策の実施可能性を改善する。
【００２２】
本出願の実施形態の第3の態様は、ユーザプレーンリンク確立方法を提供し、方法は以下を含む。
【００２３】
第1の基地局がサスペンド状態のユーザ機器をレジュームする必要があるとき、第1の基地局は、取得要求を第2の基地局に送信する。第2の基地局は、取得要求を受信し、取得要求に基づいてピアアドレスを決定し、次に、ピアアドレスを含む応答メッセージを第1の基地局に送信し、これにより、第1の基地局は、ピアアドレスに基づいてユーザプレーンリンクを確立し得る。
【００２４】
ピアアドレスは、ユーザ機器に対応するユーザプレーンで基地局に接続されるコアネットワーク要素のアドレスであることを理解されたい。具体的には、LTEネットワークでは、ピアアドレスは、S1−Uインタフェースのピアアドレスである。
【００２５】
本出願のこの実施形態では、第1の基地局がユーザ機器のステータスをレジュームするプロセスにおいて、第2の基地局は、ピアアドレスを第1の基地局に送信し、これにより、第1の基地局は、ピアアドレスに基づいて、ユーザ機器に対応するユーザプレーンリンクを確立し得、ユーザ機器は、サービスデータを正常に送信し得る。
【００２６】
本出願の実施形態の第3の態様に関連して、本出願の実施形態の第3の態様の第1の実施態様では、応答メッセージを送信するステップの前に、第2の基地局は、以下のステップをさらに実行する。
【００２７】
第2の基地局は、ピアアドレスを示すために使用される拡張情報要素を応答メッセージに追加する。
【００２８】
本出願のこの実施形態は、ピアアドレスを示すための特定の実施態様を提供し、その結果、解決策の実施可能性を改善する。
【００２９】
本出願の実施形態の第3の態様の第1の実施態様に関連して、本出願の実施形態の第3の態様の第2の実施態様では、拡張情報要素は、アップリンクGTPトンネルノード情報である。アップリンクGTPトンネルノードは、抽象構文記法プロトコルでS1インタフェースに接続されるSGWノードとして定義され、ノードは、アップリンクパケットデータユニットを送信するために使用されることを理解されたい。
【００３０】
本出願のこの実施形態では、ピアアドレスは、アップリンクGTPトンネルノード情報を使用して示され得、追加の拡張情報要素を定義する必要がなく、このため、解決策を実施する複雑さが低減される。
【００３１】
本出願の実施形態の第3の態様の第1の実施態様または第2の実施態様に関連して、本出願の実施形態の第3の態様の第3の実施態様では、取得要求は、ユーザ機器のコンテキスト情報を取得するために使用され、応答メッセージは、ユーザ機器のコンテキスト情報を含む。この場合、拡張情報要素は、コンテキスト情報内の情報要素である。
【００３２】
本出願の実施形態の第3の態様または第3の態様の第1の実施態様もしくは第2の実施態様に関連して、本出願の実施形態の第3の態様の第4の実施態様では、ピアアドレスは、サービングゲートウェイのインターネットプロトコルアドレスを含み得る。
【００３３】
本出願の実施形態の第4の態様は、基地局を提供し、基地局は、
取得要求を第2の基地局に送信するように構成される送信モジュールと、
取得要求に対応する応答メッセージを受信するように構成される受信モジュールであって、応答メッセージが、ピアアドレスを含む、受信モジュールと、
受信モジュールによって受信されるピアアドレスに基づいて、ユーザ機器に対応するユーザプレーンリンクを確立するように構成される処理モジュールとを含む。
【００３４】
本出願の実施形態の第4の態様に関連して、本出願の実施形態の第4の態様の第1の実施態様では、応答メッセージは、拡張情報要素を含み得、拡張情報要素は、ピアアドレスを示すために使用される。
【００３５】
本出願の実施形態の第4の態様の第1の実施態様に関連して、本出願の実施形態の第4の態様の第2の実施態様では、拡張情報要素は、アップリンクGTPトンネルノード情報を含み得る。
【００３６】
本出願の実施形態の第4の態様または第4の態様の第1の実施態様もしくは第2の実施態様に関連して、本出願の実施形態の第4の態様の第3の実施態様では、ピアアドレスは、サービングゲートウェイのインターネットプロトコルアドレスを含み得る。
【００３７】
本出願の実施形態の第4の態様の第1の実施態様または第2の実施態様に関連して、本出願の実施形態の第4の態様の第4の実施態様では、応答メッセージは、ユーザ機器のコンテキスト情報を含み、拡張情報要素は、コンテキスト情報内の情報要素である。
【００３８】
本出願の実施形態の第5の態様は、基地局を提供し、基地局は、
ユーザ機器に対応するリンク切り替え要求をモビリティ管理デバイスMMEに送信するように構成される送信モジュールと、
リンク切り替え要求に対応する肯定応答メッセージを受信するように構成される受信モジュールであって、肯定応答メッセージが、ピアアドレスを含む、受信モジュールと、
受信モジュールによって受信されるピアアドレスに基づいて、ユーザ機器に対応するユーザプレーンリンクを確立するように構成される確立モジュールとを含む。
【００３９】
本出願の実施形態の第5の態様に関連して、本出願の実施形態の第5の態様の第1の実施態様では、ピアアドレスは、SGWのIPアドレスを含み得る。
【００４０】
本出願の実施形態の第6の態様は、基地局を提供し、基地局は、
第1の基地局によって送信される取得要求を受信するように構成される受信モジュールと、
受信モジュールによって受信される取得要求に基づいてピアアドレスを決定するように構成される決定モジュールと、
応答メッセージを第1の基地局に送信するように構成される送信モジュールであって、応答メッセージが、ピアアドレスを含む、送信モジュールとを含む。
【００４１】
本出願の実施形態の第6の態様に関連して、本出願の実施形態の第6の態様の第1の実施態様では、基地局は、
拡張情報要素を応答メッセージに追加するように構成される伝送モジュールであって、拡張情報要素が、ピアアドレスを示すために使用される、伝送モジュールをさらに含む。
【００４２】
本出願の実施形態の第6の態様の第1の実施態様に関連して、本出願の実施形態の第6の態様の第2の実施態様では、拡張情報要素は、アップリンクGTPトンネルノード情報である。
【００４３】
本出願の実施形態の第6の態様または第6の態様の第1の実施態様もしくは第2の実施態様に関連して、本出願の実施形態の第6の態様の第3の実施態様では、ピアアドレスは、サービングゲートウェイのインターネットプロトコルアドレスを含む。
【００４４】
本出願の実施形態の第6の態様の第1の実施態様または第2の実施態様に関連して、本出願の実施形態の第6の態様の第4の実施態様では、応答メッセージは、ユーザ機器のコンテキスト情報を含み、拡張情報要素は、コンテキスト情報内の情報要素である。
【００４５】
本出願の実施形態の第7の態様は、基地局を提供し、基地局は、トランシーバ、メモリ、およびプロセッサを含む。
【００４６】
プロセッサは、メモリ内のプログラムを実行するように構成され、以下のステップ、すなわち、
取得要求を第2の基地局に送信するようにトランシーバを制御するステップと、
取得要求に対応する応答メッセージを受信するようにトランシーバを制御するステップであって、応答メッセージが、ピアアドレスを含む、ステップと、
ピアアドレスに基づいて、ユーザ機器に対応するユーザプレーンリンクを確立するステップとを実行するように構成される。
【００４７】
本出願の実施形態の第7の態様に関連して、本出願の実施形態の第7の態様の第1の実施態様では、応答メッセージは、拡張情報要素を含み得、拡張情報要素は、ピアアドレスを示すために使用される。
【００４８】
本出願の実施形態の第7の態様の第1の実施態様に関連して、本出願の実施形態の第7の態様の第2の実施態様では、拡張情報要素は、アップリンクGTPトンネルノード情報を含み得る。
【００４９】
本出願の実施形態の第7の態様または第7の態様の第1の実施態様もしくは第2の実施態様に関連して、本出願の実施形態の第7の態様の第3の実施態様では、ピアアドレスは、サービングゲートウェイのインターネットプロトコルアドレスを含む。
【００５０】
本出願の実施形態の第7の態様の第1の実施態様または第2の実施態様に関連して、本出願の実施形態の第7の態様の第4の実施態様では、応答メッセージは、ユーザ機器のコンテキスト情報を含み、拡張情報要素は、コンテキスト情報内の情報要素である。
【００５１】
本出願の実施形態の第8の態様は、基地局を提供し、基地局は、トランシーバ、メモリ、およびプロセッサを含む。
【００５２】
メモリは、プログラムを記憶するように構成される。
【００５３】
プロセッサは、メモリ内のプログラムを実行するように構成され、以下のステップ、すなわち、
ユーザ機器に対応するリンク切り替え要求をMMEに送信するようにトランシーバを制御するステップと、
リンク切り替え要求に対応する肯定応答メッセージを受信するようにトランシーバを制御するステップであって、肯定応答メッセージが、ピアアドレスを含む、ステップと、
ピアアドレスに基づいて、ユーザ機器に対応するユーザプレーンリンクを確立するステップとを実行するように構成される。
【００５４】
本出願の実施形態の第8の態様に関連して、本出願の実施形態の第8の態様の第1の実施態様では、ピアアドレスは、サービングゲートウェイのインターネットプロトコルアドレスを含み得る。
【００５５】
本出願の実施形態の第9の態様は、基地局を提供し、基地局は、トランシーバ、メモリ、およびプロセッサを含む。
【００５６】
メモリは、プログラムを記憶するように構成される。
【００５７】
プロセッサは、メモリ内のプログラムを実行するように構成され、以下のステップ、すなわち、
第1の基地局によって送信される取得要求を受信するようにトランシーバを制御するステップと、
取得要求に基づいてピアアドレスを決定するステップと、
応答メッセージを第1の基地局に送信するようにトランシーバを制御するステップであって、応答メッセージが、ピアアドレスを含む、ステップとを実行するように構成される。
【００５８】
本出願の実施形態の第9の態様に関連して、本出願の実施形態の第9の態様の第1の実施態様では、プロセッサは、以下のステップ、すなわち、
拡張情報要素を応答メッセージに追加するステップであって、拡張情報要素が、ピアアドレスを示すために使用される、ステップを実行するようにさらに構成される。
【００５９】
本出願の実施形態の第9の態様の第1の実施態様に関連して、本出願の実施形態の第9の態様の第2の実施態様では、拡張情報要素は、アップリンクGTPトンネルノード情報である。
【００６０】
本出願の実施形態の第9の態様または第9の態様の第1の実施態様もしくは第2の実施態様に関連して、本出願の実施形態の第9の態様の第3の実施態様では、ピアアドレスは、サービングゲートウェイのインターネットプロトコルアドレスを含む。
【００６１】
本出願の実施形態の第9の態様の第1の実施態様または第2の実施態様に関連して、本出願の実施形態の第9の態様の第4の実施態様では、応答メッセージは、ユーザ機器のコンテキスト情報を含み、拡張情報要素は、コンテキスト情報内の情報要素である。
【００６２】
本出願の実施形態の第10の態様は、コンピュータ可読記憶媒体を提供する。コンピュータ可読記憶媒体は命令を記憶し、命令がコンピュータ上で実行されると、コンピュータは、第1の態様から第3の態様による方法を実行することが可能になる。
【００６３】
本出願の実施形態の第11の態様は、命令を含むコンピュータプログラム製品を提供する。コンピュータプログラム製品がコンピュータ上で実行されると、コンピュータは、第1の態様から第3の態様による方法を実行することが可能になる。
【００６４】
上記の技術的解決策から、本出願の実施形態は以下の利点を有することが分かる。
【００６５】
本出願のこの実施形態では、第1の基地局がサスペンドされたユーザ機器のステータスをレジュームするプロセスにおいて、第1の基地局は、ピアアドレスを取得し、ピアアドレスに基づいて、ユーザ機器に対応するユーザプレーンリンクを確立し得、これにより、ユーザ機器は、サービスデータを正常に送信し得る。
【００６６】
本出願の実施形態の技術的解決策をより明確に説明するために、以下では、実施形態の添付図面について簡単に説明する。明らかに、以下の説明の添付図面は、本出願の一部の実施形態のみを示している。
【図面の簡単な説明】
【００６７】
【図１】本出願の一実施形態によるユーザプレーンリンク確立システムの一実施形態の概略図である。
【図２】本出願の一実施形態によるユーザプレーンリンク確立方法の一実施形態のフローチャートである。
【図３】本出願の一実施形態によるユーザプレーンリンク確立方法の別の実施形態のフローチャートである。
【図４】本出願の一実施形態によるユーザプレーンリンク確立方法の別の実施形態のフローチャートである。
【図５】本出願の一実施形態によるユーザプレーンリンク確立方法の別の実施形態のフローチャートである。
【図６】本出願の一実施形態による基地局の一実施形態の概略図である。
【図７】本出願の一実施形態による基地局の別の実施形態の概略図である。
【図８】本出願の一実施形態による基地局の別の実施形態の概略図である。
【図９】本出願の一実施形態による基地局の別の実施形態の概略図である。
【発明を実施するための形態】
【００６８】
以下では、本出願の実施形態の添付図面を参照して本出願の実施形態の技術的解決策を明確かつ完全に説明する。明らかに、説明されている実施形態は、本出願の実施形態の一部に過ぎず、本出願の実施形態の全部ではない。
【００６９】
本出願の明細書、特許請求の範囲、および添付図面において、用語「第1」、「第2」、「第3」、および「第4」など（もしあれば）は、同様の対象を区別することを意図されており、必ずしも特定の順序または順番を示すものではない。このような方法で呼称される所与は、適切な状況で交換可能であり、このため、本明細書で説明されている、本出願の実施形態は、本明細書で例示または説明されている順序以外の順序で実施され得ることを理解されたい。加えて、用語「含む」、「有する」、およびこれらの用語の変種は、非排他的な包含を取り扱うことを意味し、例えば、一連のステップまたはユニットを含むプロセス、方法、システム、製品、またはデバイスは、明確にリストされているこれらのステップまたはユニットに必ずしも限定されず、明確にリストされていない、またはこれらのプロセス、方法、製品、もしくはデバイスに固有である他のステップまたはユニットを含み得る。
【００７０】
本出願の実施形態は、ユーザ機器がサービスデータを正常に送信するように、クロスサイトレジュームシナリオで、有効なユーザプレーンリンクを確立するためにユーザプレーンリンク確立方法を提供する。
【００７１】
本出願の実施形態のユーザプレーンリンク確立方法、基地局、およびモビリティ管理デバイスは、様々な通信システム、例えば、グローバル・システム・フォー・モバイル・コミュニケーションズ（Global System of Mobile communication、GSM）、符号分割多元接続（Code Division Multiple Access、CDMA）システム、広帯域符号分割多元接続（Wideband Code Division Multiple Access、WCDMA）システム、汎用パケット無線サービス（General Packet Radio Service、GPRS）、ロングタームエボリューション（Long Term Evolution、LTE）システム、LTE周波数分割複信（Frequency Division Duplex、FDD）システム、LTE時分割複信（Time Division Duplex、TDD）システム、ユニバーサル移動通信システム（Universal Mobile Telecommunication System、UMTS）、ワールドワイド・インターオペラビリティ・フォー・マイクロウェーブ・アクセス（Worldwide Interoperability for Microwave Access、WiMAX）通信システム、第5世代（5th−Generation、5G）移動通信システム、または後の発展された移動通信システムに適用され得ることを理解されたい。
【００７２】
本出願の実施形態のユーザ機器は、移動局（Mobile Station、MS）、モバイル端末（Mobile Terminal）、携帯電話（Mobile Telephone）、ハンドセット（handset）、および携帯機器（portable equipment）などを含むが、これらに限定されないことを理解されたい。ユーザ機器は、無線アクセスネットワーク（Radio Access Network、RAN）を使用して1つ以上のコアネットワークと通信し得る。例えば、ユーザ機器は、携帯電話（または「セルラー」電話と呼ばれ得る）であり得、またはワイヤレス通信機能を有するコンピュータであり得る。あるいは、ユーザ機器は、携帯型の、ポケットサイズの、手持ち型の、コンピュータ内蔵の、または車載型のモバイル装置であり得る。
【００７３】
本出願の実施形態の基地局は、GSMもしくはCDMAの基地トランシーバ局（Base Transceiver Station、BTS）、またはWCDMAのノードB（NodeB）、またはLTEの発展型ノードB（evolved NodeB、eNBもしくはe−NodeB）であり得る。これは本出願の実施形態では限定されない。
【００７４】
本出願の実施形態の理解を容易にするために、以下では、本出願の実施形態の技術的背景を説明する。
【００７５】
狭帯域のモノのインターネットのシナリオでは、基地局とUEとの間にサスペンド−レジューム（suspend−resume）メカニズムがある。このメカニズムの目的は、UEのエネルギー消費を低減するために、無線リソース制御（Radio Resource Control、RRC）接続モード（connected mode）と無線リソース制御（Radio Resource Control、RRC）アイドルモード（idle mode）との間でのUEの切り替え中に交換される必要がある情報の量を低減することである。具体的には、ユーザ機器がRRC接続を必要としない場合、基地局は、解放メッセージをユーザ機器に送信し得る。解放メッセージは、レジューム（resume）識別子および解放原因を含み、これにより、ユーザ機器は、サスペンドモードに入る。この場合、基地局は、RRC接続モードでユーザ機器によって使用される無線アクセスベアラおよび関連するセキュリティ構成などの情報を保存する。ユーザ機器がデータを送信する必要があるとき、言い換えれば、ユーザ機器がRRC接続を必要とするとき、ユーザ機器は、レジューム識別子を伝送するレジューム要求を基地局に送信する必要だけがあり、基地局は、レジューム識別子を使用してユーザ機器を識別し、ユーザ機器のステータスをレジューム（resume）し得る。具体的には、ユーザ機器および基地局は、関連する構成情報の交換をスキップし、データを直接送信し得る。
【００７６】
言い換えれば、サスペンドモードが、狭帯域のモノのインターネットのシナリオに新しく追加される。レジューム識別子および解放原因を含む解放メッセージを受信すると、ユーザ機器は、サスペンドモードに入る。具体的には、ユーザ機器はサスペンド状態にあると見なされる。一方、基地局側は、サスペンド状態のユーザ機器の無線アクセスベアラおよび関連するセキュリティ構成などの情報を保存する。ユーザ機器が、データを送信するためにサスペンドモードからRRC接続モードに切り替わる必要がある場合、ユーザ機器は、ステータスレジューム手順を最初に開始する必要があり、具体的には、ユーザ機器は、レジューム識別子を基地局に送信し、これにより、基地局は、ユーザ機器に対応する無線アクセスベアラおよびセキュリティ構成などの情報をレジュームする。
【００７７】
本出願の実施形態の理解を容易にするために、以下では、本出願の実施形態が適用可能であるシステムアーキテクチャの1つについて最初に簡単に説明する。図1に示されているように、システムは、2つの部分、すなわちアクセスネットワークおよびコアネットワークを含む。アクセスネットワークは、発展型UMTS地上無線アクセスネットワーク（Evolved UMTS Terrestrial Radio Access Network、E−UTRAN）と呼ばれ、コアネットワークは、発展型パケットコア（Evolved Packet Core、EPC）と呼ばれる。
【００７８】
E−UTRANは、ユーザ機器および基地局などのネットワーク要素を主に含む。EPCは、モビリティ管理デバイス（Mobility Management Entity、MME）、サービングゲートウェイ（Serving Gateway、SGW）、パブリックデータネットワークゲートウェイ（Public Data Network Gateway、PGW）、ならびにポリシーおよび課金ルール課金ユニット（Policy and Charging Rules Function、PCRF）を主に含む。
【００７９】
MMEは、シグナリング処理を主に担当する。特定の機能は、アクセス制御、モビリティ管理、セッション管理、ならびにSGWおよびPGWの選択などを含む。
【００８０】
SGWの主な機能は、MMEの制御下でデータパケットをルーティングおよび転送することであり、具体的には、受信されたユーザデータを指定されたPGWに転送することである。
【００８１】
PGWの主な機能は、セッションおよびベアラ管理ならびにインターネットプロトコル（Internet Protocol、IP）アドレスの割り当てなどを含む。
【００８２】
PCRFは、利用可能な測定および課金制御の決定を提供するために主に使用される。
【００８３】
IPプロトコルサービスは、IPプロトコルベースのサービス、例えば、IPマルチメディアサブシステム（IP Multimedia Subsystem、IMS）サービスである。
【００８４】
E−UTRAN無線インタフェースプロトコルアーキテクチャにおいて、プロトコルスタックは、ユーザプレーンプロトコルスタックと制御プレーンプロトコルスタックとに分けられる。サービスおよびアプリケーションデータを送信するためのプレーンは、ユーザプレーンと呼ばれ、ユーザプレーンは、ユーザのアプリケーションデータを伝送する。例えば、ユーザが携帯電話を使用してインターネットにアクセスしたときにユーザによって読まれる、ウェブページ上のコンテンツおよびチャットコンテンツはすべて、ユーザプレーンを使用して送信される。ユーザプレーンのリンク構成が図1に示されている。シグナリング情報を送信するためのプレーンは、制御プレーンと呼ばれ、制御プレーンは、ユーザとネットワークとの間の相互作用制御情報を伝送する。例えば、ユーザがインターネットにアクセスするとき、ユーザとネットワークとの間のリンクの確立、維持、および解放はすべて、制御プレーンを使用して遂行される。制御プレーンのリンク構成が図1に示されている。
【００８５】
Uuインタフェースは、ユーザ機器と基地局との間の通信インタフェースである。Uuインタフェースは、2つのインタフェースに分けられ得る。一方のインタフェースは、制御プレーンでの送信に、例えばRRCシグナリングメッセージに使用される。他方のインタフェースは、ユーザプレーンでの送信に、例えばブロードキャストメッセージに使用される。
【００８６】
S1インタフェースは、基地局とコアネットワークとの間の通信インタフェースであり、2つのインタフェースに分けられ得る。一方のインタフェースは、S1−MMEインタフェースと呼ばれる。S1−MMEインタフェースは、基地局とモビリティ管理デバイスとの間のインタフェースであり、制御プレーンでの送信に、例えば発展型無線アクセスベアラ（Evolved Radio Access Bearer、E−RAB）管理情報に使用される。他方のインタフェースは、S1−Uインタフェースと呼ばれる。S1−Uインタフェースは、基地局とサービングゲートウェイとの間のインタフェースであり、ユーザプレーンでの送信に、例えばハイパーテキスト転送プロトコルデータに使用される。
【００８７】
S11インタフェースは、モビリティ管理デバイスとサービングゲートウェイとの間の通信インタフェースであり、制御プレーンでの送信に、例えば、セッションの作成およびセッションの削除などの命令に使用される。
【００８８】
S5インタフェースは、サービングゲートウェイとパブリックデータネットワークゲートウェイとの間の通信インタフェースである。S5インタフェースは、2つのインタフェースに分けられ得る。一方のインタフェースは、制御プレーンでの送信に使用され、他方のインタフェースは、ユーザプレーンでの送信に使用される。S8インタフェースは、ローミング時の、サービングゲートウェイとパブリックデータネットワークゲートウェイとの間の通信インタフェースである。S8インタフェースも、2つのインタフェースに分けられ得る。一方のインタフェースは、制御プレーンでの送信に使用され、他方のインタフェースは、ユーザプレーンでの送信に使用される。
【００８９】
Gxインタフェースは、パブリックデータネットワークゲートウェイとPCRFとの間の通信インタフェースであり、制御プレーンでの送信に使用される。
【００９０】
Rxインタフェースは、PCRFと外部インターネットとの間の通信インタフェースであり、制御プレーンでの送信に使用される。
【００９１】
SGiインタフェースは、パブリックデータネットワークゲートウェイと外部インターネットとの間の通信インタフェースであり、ユーザプレーンでの送信に使用される。
【００９２】
図1のモビリティ管理デバイスは名称に過ぎず、この名称は、デバイスを限定するものではないことを理解されたい。例えば、「モビリティ管理デバイス」は、「モビリティ管理ノード」、「モビリティ管理エンティティ」、または別の名称に置き換えられ得る。加えて、モビリティ管理デバイスは、モビリティ管理機能に加えて別の機能を含むデバイスに対応し得る。本明細書では統一された記述が提供され、以下において詳細は再度説明されない。
【００９３】
以下では、本出願の実施形態のユーザプレーンリンク確立方法を最初に説明する。図2を参照すると、本出願の実施形態のユーザプレーンリンク確立方法の一実施形態は、以下のステップを含む。
【００９４】
201．第1の基地局は、取得要求を第2の基地局に送信する。
【００９５】
ユーザ機器がサスペンド条件を満たしている場合、第2の基地局は、ユーザ機器がサスペンドモードに入ること可能にするために、言い換えれば、ユーザ機器がサスペンド状態になることを可能にするために解放メッセージを配信する。解放メッセージはユーザ機器に対応するレジューム識別子を伝送することを理解されたい。
【００９６】
ユーザ機器が、第1の基地局に接続され、データを送信する必要があるとき、ユーザ機器は、ステータスレジューム手順を開始する。具体的には、ユーザ機器は、ユーザ機器に対応するレジューム識別子をレジューム要求に追加し、レジューム要求を第1の基地局に送信する。要求を受信した後、第1の基地局は、取得要求を第2の基地局に送信する。取得要求は、レジューム識別子を含む。
【００９７】
レジューム識別子は、通常は40ビットのデータであり、その場合、データの最初の20ビットは、サスペンドサイトを識別するために使用され、データの最後の20ビットは、サスペンドサイトによって定義されることを理解されたい。本出願のこの実施形態のサスペンドサイトは、第2の基地局を指す。
【００９８】
202．第1の基地局は、応答メッセージを受信する。
【００９９】
取得要求を受信した後、第2の基地局は、レジューム識別子に対応するユーザ機器を決定し、ユーザ機器に対応するピアアドレスを決定し、次に応答メッセージを第1の基地局に送信する。応答メッセージは、ピアアドレスを含む。第1の基地局は、応答メッセージを受信し、ピアアドレスを取得する。
【０１００】
本出願のこの実施形態では、ピアアドレスは、ユーザ機器に対応するユーザプレーン上のコアネットワークエンドにおけるネットワーク要素のアドレスであることを理解されたい。具体的には、LTEネットワークでは、ピアアドレスは、S1−Uインタフェースのピアアドレスである。しかしながら、別の通信ネットワークでは、ピアアドレスは、別のインタフェースのピアアドレスであり得る。これは本明細書では具体的に限定されない。
【０１０１】
203．第1の基地局は、ピアアドレスに基づいて、ユーザ機器に対応するユーザプレーンリンクを確立する。
【０１０２】
ピアアドレスを取得した後、第1の基地局は、第1の基地局と、ピアアドレスに対応するネットワーク要素との通信接続を確立する、言い換えれば、ユーザ機器に対応するユーザプレーンリンクを確立する。
【０１０３】
本出願のこの実施形態では、第1の基地局がサスペンドされたユーザ機器のステータスをレジュームするプロセスにおいて、第1の基地局は、ピアアドレスを取得し、ピアアドレスに基づいて、ユーザ機器に対応するユーザプレーンリンクを確立し得、これにより、ユーザ機器は、サービスデータを正常に送信し得る。
【０１０４】
上記は、第1の基地局の観点から本出願の実施形態のユーザプレーンリンク確立方法を説明している。以下では、第2の基地局の観点から本出願の実施形態のユーザプレーンリンク確立方法を説明する。図3を参照すると、本出願の実施形態のユーザプレーンリンク確立方法の別の実施形態は、以下のステップを含む。
【０１０５】
301．第2の基地局は、第1の基地局によって送信された取得要求を受信する。
【０１０６】
第1の基地局が、ユーザ機器に対応するサスペンドサイトが第2の基地局であると判断し、ユーザ機器のステータスをレジュームする必要があるとき、第1の基地局は、取得要求を第2の基地局に送信し、第2の基地局は、取得要求を受信する。取得要求は、ユーザ機器に対応するレジューム識別子を伝送する。
【０１０７】
レジューム識別子は、通常は40ビットのデータであり、その場合、データの最初の20ビットは、サスペンドサイトを識別するために使用され、データの最後の20ビットは、サスペンドサイトによって定義されることを理解されたい。本出願のこの実施形態のサスペンドサイトは、第2の基地局を指す。
【０１０８】
302．第2の基地局は、取得要求に基づいてピアアドレスを決定する。
【０１０９】
取得要求を受信した後、第2の基地局は、取得要求で伝送されたレジューム識別子を識別し、レジューム識別子に対応するユーザ機器を決定し、次に、ユーザ機器のデータを送信するために使用されるユーザプレーンリンク上のコアネットワークエンドにおけるネットワーク要素のアドレス、すなわちピアアドレスを決定する。具体的には、LTEネットワークでは、ピアアドレスは、S1−Uインタフェースのピアアドレスである。しかしながら、別の通信ネットワークでは、ピアアドレスは、別のインタフェースのピアアドレスであり得る。これは本明細書では具体的に限定されない。
【０１１０】
303．第2の基地局は、応答メッセージを第1の基地局に送信する。
【０１１１】
ユーザ機器のピアアドレスを決定した後、第2の基地局は、ピアアドレスを応答メッセージに追加し、次に応答メッセージを第1の基地局に送信する。応答メッセージを受信した後、第1の基地局は、第1の基地局と、ピアアドレスに対応するネットワーク要素との間のユーザプレーンリンクを確立し得る。
【０１１２】
本出願のこの実施形態では、第1の基地局がユーザ機器のステータスをレジュームするプロセスにおいて、第2の基地局は、ピアアドレスを第1の基地局に送信し、これにより、第1の基地局は、ピアアドレスに基づいて、ユーザ機器に対応するユーザプレーンリンクを確立し得、ユーザ機器は、サービスデータを正常に送信し得る。
【０１１３】
本出願の実施形態の理解を容易にするために、以下では、相互作用の実施形態を使用して本出願の実施形態のユーザプレーンリンク確立方法を説明する。図4を参照すると、本出願の実施形態のユーザプレーンリンク確立方法の別の実施形態は、以下のステップを含む。
【０１１４】
401．第1の基地局は、取得要求を第2の基地局に送信する。
【０１１５】
ユーザ機器がサスペンド条件を満たしている場合、第2の基地局は、ユーザ機器がサスペンドモードに入ること可能にするために、言い換えれば、ユーザ機器がサスペンド状態になることを可能にするために解放メッセージを配信する。加えて、第2の基地局は、サスペンド状態に入る必要があるユーザ機器にレジューム識別子を割り当て、レジューム識別子を解放メッセージに追加する。
【０１１６】
ユーザ機器が、第1の基地局に接続され、データを送信する必要があるとき、ユーザ機器は、ステータスレジューム手順を開始する。具体的には、ユーザ機器は、ユーザ機器に対応するレジューム識別子をRRC接続要求に追加し、RRC接続要求を第1の基地局に送信する。要求を受信した後、第1の基地局は、取得要求を第2の基地局に送信する。取得要求は、ユーザ機器のコンテキスト情報を取得するために使用され、取得要求は、レジューム識別子を含む。
【０１１７】
取得要求は、具体的にはUEコンテキスト検索要求（retrieve UE context request）であり得、または別の要求であり得ることを理解されたい。これは本明細書では具体的に限定されない。
【０１１８】
本出願のこの実施形態では、第1の基地局および第2の基地局は、X2インタフェースを介して互いに通信し得、または別の方法で互いに通信し得ることをさらに理解されたい。これは本明細書では具体的に限定されない。
【０１１９】
402．第2の基地局は、取得要求に基づいてピアアドレスを決定する。
【０１２０】
第1の基地局の取得要求を受信した後、第2の基地局は、取得要求内のレジューム識別子に基づいてユーザ機器のコンテキスト情報を決定する。加えて、第2の基地局は、ユーザ機器に対応するユーザプレーン上のコアネットワークエンドにおけるネットワーク要素のアドレス、すなわちピアアドレスをさらに決定する。
【０１２１】
403．第2の基地局は、応答メッセージを第1の基地局に送信する。
【０１２２】
コンテキスト情報およびピアアドレスを決定した後、第2の基地局は、コンテキスト情報およびピアアドレスを応答メッセージに追加し、次に、コンテキスト情報およびピアアドレスを含む応答メッセージを第1の基地局に送信する。本出願のこの実施形態では、応答メッセージは、UEコンテキスト検索応答（retrieve UE context response）であり得、または別のメッセージであり得る。これは本明細書では具体的に限定されない。
【０１２３】
具体的には、第2の基地局は、1つ以上の拡張情報要素を応答メッセージに追加し、次に、ピアアドレスを拡張情報要素に追加し得る。
【０１２４】
拡張情報要素は、アップリンク汎用パケット無線サービストンネリングプロトコル（General Packet Radio Service Tunneling Protocol、GTP）トンネルノード情報であり得、または他の情報、例えば、ピアアドレスを示すために特別に使用される新しく定義された情報要素、もしくはピアアドレス指示機能も有し、かつシステム内に存在する別の情報要素であり得る。これは本明細書では1つずつリストされない。
【０１２５】
拡張情報要素は、コンテキスト情報内の情報要素であり得、またはコンテキスト情報から独立した別の情報要素であり得ることを理解されたい。これは本明細書では具体的に限定されない。言い換えれば、本出願のこの実施形態では、ピアアドレスは、コンテキスト情報に含まれ、第1の基地局に送信され得るか、またはピアアドレスおよびコンテキスト情報は分離され得、コンテキスト情報およびピアアドレスは、第1の基地局に同時に送信される。
【０１２６】
抽象構文記法（Abstract Syntax Notation One、ASN．1）プロトコルでは、アップリンクGTPトンネルノードは、S1インタフェースに接続されるSGWノードとして定義され、アップリンクパケットデータユニット（packet data unit、PDU）を送信するために使用されることを理解されたい。言い換えれば、アップリンクGTPトンネルノードは、ピアアドレスを示すために使用され得る。ピアアドレスは、具体的にはSGWのIPアドレスであり得る。SGWのIPアドレスに加えて、ピアアドレスは、具体的には、コアネットワーク内の基地局との間でユーザプレーンデータを送信するために使用されるネットワーク要素のアドレスであり得ることに留意されたい。これは本明細書では具体的に限定されない。
【０１２７】
本出願のこの実施形態では、コンテキスト情報は、確立される必要があるE−RAB、E−RABの識別子、および各E−RABレベルのサービス品質パラメータまたはベアラタイプを含み得、他の情報をさらに含み得ることに留意されたい。これは本明細書では具体的に限定されない。情報およびアップリンクGTPトンネルノード情報は、E−RAB確立リスト内のコンテンツとして応答メッセージで伝送され得る。コンテキスト情報およびアップリンクGTPトンネルノード情報に加えて、応答メッセージは、取得要求に応答するために使用される他の情報をさらに含み得る。これは本明細書では限定されない。
【０１２８】
404．第1の基地局は、ピアアドレスに基づいて、ユーザ機器に対応するユーザプレーンリンクを確立する。
【０１２９】
第2の基地局によって送信された応答メッセージを受信した後、第1の基地局は、ユーザ機器のステータスをレジュームし、これにより、ユーザ機器は、サスペンド前のステータスにレジュームされる。具体的には、第1の基地局は、応答メッセージ内のコンテキスト情報に基づいてユーザ機器の無線アクセスベアラおよびセキュリティ構成などの情報をレジュームし、第1の基地局とピアアドレスに対応するネットワーク要素との間のユーザプレーンリンクをさらに確立し得る。
【０１３０】
具体的には、第1の基地局は、アップリンクGTPトンネルノード情報によって示されるピアアドレスに基づいてコアネットワーク内のターゲットSGWを決定し、次に、S1−Uインタフェースを介して第1の基地局とターゲットSGWとの間のユーザプレーンリンクを確立し得る。
【０１３１】
加えて、第1の基地局がユーザ機器のステータスをレジュームするプロセスにおいて、第1の基地局は、リンク切り替え要求（link switch request）をコアネットワーク内のモビリティ管理デバイスにさらに送信し得、これにより、コアネットワーク側は、ユーザプレーンリンク切り替え情報を正常に更新し得る。
【０１３２】
第1の基地局がユーザプレーンリンクを正常に確立し、ユーザプレーンリンク切り替え情報がコアネットワーク側で更新された後、ユーザ機器は、ユーザプレーンリンクを使用してサービスデータを送信し得る。例えば、ユーザが携帯電話を使用してインターネットにアクセスするとき、携帯電話は、インターネットアクセス要求を第1の基地局に送信し、第1の基地局は、ユーザプレーンリンクを使用してインターネットアクセス要求をターゲットSGWに送信し、ターゲットSGWは、MMEの制御下でインターネットアクセス要求を対応するサーバに送信し、次に、サーバは、ユーザプレーンリンクを使用して、インターネットアクセス要求に対応するリソースを携帯電話に返し、これにより、ユーザは、インターネットに正常にアクセスし得る。
【０１３３】
本出願のこの実施形態では、第1の基地局がユーザ機器のステータスをレジュームするプロセスにおいて、第2の基地局は、ピアアドレスを第1の基地局に送信し、これにより、第1の基地局は、ピアアドレスに基づいて、ユーザ機器に対応するユーザプレーンリンクを確立し得、ユーザ機器は、サービスデータを正常に送信し得る。
【０１３４】
加えて、本出願のこの実施形態は、ピアアドレスを第1の基地局に送信する複数の方法を提供し、その結果、解決策の柔軟性を改善する。
【０１３５】
本出願の一実施形態は、別のユーザプレーンリンク確立方法をさらに提供する。図5を参照すると、本出願の実施形態のユーザプレーンリンク確立方法の別の実施形態は、以下のステップを含む。
【０１３６】
501．第1の基地局は、ユーザ機器に対応するリンク切り替え要求をモビリティ管理デバイスに送信する。
【０１３７】
サスペンド状態のユーザ機器がデータを送信する必要があるとき、ユーザ機器は、ユーザ機器のステータスをレジュームするように第1の基地局に要求する。第1の基地局がユーザ機器のステータスをレジュームするプロセスにおいて、第1の基地局は、モビリティ管理デバイスに、ユーザ機器に対応するリンク切り替え要求（path switch request）を送信する、具体的には、ユーザ機器に対応するサービスデータ送信チャネルを変更するように要求する。
【０１３８】
502．第1の基地局は、リンク切り替え要求に対応する肯定応答メッセージを受信する。
【０１３９】
リンク切り替え要求を受信した後、モビリティ管理デバイスは、リンク切り替え要求に基づいてユーザプレーンリンク切り替え情報を更新する、具体的には、ユーザ機器に対応する無線アクセスベアラのノードを第2の基地局から第1の基地局に切り替える。切り替えが成功した後、モビリティ管理デバイスは、リンク切り替え要求肯定応答メッセージ（path switch request acknowledge）を第1の基地局に送信する。肯定応答メッセージは、ピアアドレスを含む。
【０１４０】
本出願のこの実施形態では、ピアアドレスは、ユーザ機器に対応するユーザプレーン上のコアネットワークエンドにおけるネットワーク要素のアドレスであることを理解されたい。具体的には、LTEネットワークでは、ピアアドレスは、S1−Uインタフェースのピアアドレスである。しかしながら、別の通信ネットワークでは、ピアアドレスは、別のインタフェースのピアアドレスであり得る。これは本明細書では具体的に限定されない。より具体的には、ピアアドレスは、SGWのIPアドレスであり得、または別のネットワーク要素のアドレスであり得る。これは本明細書では具体的に限定されない。
【０１４１】
リンク切り替え要求肯定応答メッセージは、発展型無線アクセスベアラ（Evolved Radio Access Bearer、E−RAB）切り替えアップリンクリストを含み、E−RAB切り替えアップリンクリストは、アップリンクベアラ情報を含むことに留意されたい。本出願のこの実施形態では、アップリンクベアラ情報内のトランスポート層アドレスが、本出願のこの実施形態のピアアドレスである。トランスポート層アドレスに加えて、アップリンクベアラ情報は、E−RAB識別子およびGTPトンネルエンドポイント識別子などの他の情報をさらに含み得ることをさらに理解されたい。これは本明細書では具体的に限定されない。
【０１４２】
503．第1の基地局は、ピアアドレスに基づいて、ユーザ機器に対応するユーザプレーンリンクを確立する。
【０１４３】
肯定応答メッセージを受信した後、第1の基地局は、第1の基地局と、ピアアドレスに対応するネットワーク要素との間のユーザプレーンリンクを確立し得る。具体的には、第1の基地局は、アップリンクベアラ情報内のトランスポート層アドレスに基づいてターゲットSGWを決定し、S1−Uインタフェースを介して第1の基地局とターゲットSGWとの間のユーザプレーンリンクを確立し得、次に、ユーザ機器は、ユーザプレーンリンクを使用してサービスデータをコアネットワークに送信し得る。
【０１４４】
本出願のこの実施形態では、第1の基地局は、モビリティ管理デバイスによって返されるリンク切り替え肯定応答メッセージ内のピアアドレスを取得し、次に、ピアアドレスに基づいて、ユーザ機器に対応するユーザプレーンリンクを確立し得、これにより、ユーザ機器は、サービスデータを正常に送信し得る。
【０１４５】
上記は、本出願の実施形態のユーザプレーンリンク確立方法を説明している。以下では、本出願の実施形態の基地局を説明する。図6を参照すると、本出願の実施形態の基地局の一実施形態は、
取得要求を第2の基地局に送信するように構成される送信モジュール601と、
応答メッセージを受信するように構成される受信モジュール602であって、応答メッセージが、ピアアドレスを含む、受信モジュール602と、
受信モジュール602によって受信されるピアアドレスに基づいて、ユーザ機器に対応するユーザプレーンリンクを確立するように構成される処理モジュール603とを含む。
【０１４６】
図6に対応する実施形態において、基地局内のモジュールによって実行される手順は、図2および図4に示されている実施形態で説明された方法の手順と同様である。本明細書では詳細は再度説明されない。
【０１４７】
本出願のこの実施形態では、基地局がサスペンドされたユーザ機器のステータスをレジュームするプロセスにおいて、基地局は、受信モジュール602を使用してピアアドレスを取得し得、処理モジュール603は、ピアアドレスに基づいて、ユーザ機器に対応するユーザプレーンリンクを確立し得、これにより、ユーザ機器は、サービスデータを正常に送信し得る。
【０１４８】
図6に対応する基地局に基づいて、本出願の実施形態の基地局の別の実施形態では、応答メッセージは、拡張情報要素を含み得、拡張情報要素は、ピアアドレスを示すために使用されることを理解されたい。具体的には、拡張情報要素は、コンテキスト情報内の情報要素であり得、またはコンテキスト情報から独立した別の情報要素であり得る。より具体的には、拡張情報要素は、アップリンクGTPトンネルノード情報であり得、または他の情報であり得る。これは本明細書では具体的に限定されない。
【０１４９】
図6に対応する基地局に基づいて、本出願の実施形態の基地局の別の実施形態では、ピアアドレスは、サービングゲートウェイのインターネットプロトコルアドレスを含み得ることを理解されたい。図7を参照すると、本出願の実施形態で提供される基地局の別の実施形態は、
ユーザ機器に対応するリンク切り替え要求をモビリティ管理デバイスに送信するように構成される送信モジュール701と、
リンク切り替え要求に対応する肯定応答メッセージを受信するように構成される受信モジュール702であって、肯定応答メッセージが、ピアアドレスを含む、受信モジュール702と、
受信モジュール702によって受信されるピアアドレスに基づいて、ユーザ機器に対応するユーザプレーンリンクを確立するように構成される確立モジュール703とを含む。
【０１５０】
図7に対応する実施形態において、基地局内のモジュールによって実行される手順は、図5に示されている実施形態で説明された方法の手順と同様である。本明細書では詳細は再度説明されない。
【０１５１】
本出願のこの実施形態では、第1の基地局は、モビリティ管理デバイスによって返されるリンク切り替え肯定応答メッセージ内のピアアドレスを受信モジュール702を使用して取得し得る。次に、確立モジュール703は、ピアアドレスに基づいて、ユーザ機器に対応するユーザプレーンリンクを確立し得、これにより、ユーザ機器は、サービスデータを正常に送信し得る。
【０１５２】
図7に対応する基地局に基づいて、本出願の実施形態の基地局の別の実施形態では、ピアアドレスは、サービングゲートウェイのインターネットプロトコルアドレスを含み得ることを理解されたい。
【０１５３】
図8を参照すると、本出願の実施形態で提供される基地局の別の実施形態は、
第1の基地局によって送信される取得要求を受信するように構成される受信モジュール801と、
受信モジュール801によって受信される取得要求に基づいてピアアドレスを決定するように構成される決定モジュール802と、
応答メッセージを第1の基地局に送信するように構成される送信モジュール803であって、応答メッセージが、ピアアドレスを含む、送信モジュール803とを含む。
【０１５４】
図8に対応する実施形態において、基地局内のモジュールによって実行される手順は、図3および図4に示されている実施形態で説明された方法の手順と同様である。本明細書では詳細は再度説明されない。
【０１５５】
本出願のこの実施形態では、第1の基地局がユーザ機器のステータスをレジュームするプロセスにおいて、第2の基地局は、送信モジュール803を使用してピアアドレスを第1の基地局に送信し、これにより、第1の基地局は、ピアアドレスに基づいて、ユーザ機器に対応するユーザプレーンリンクを確立し得、ユーザ機器は、サービスデータを正常に送信し得る。
【０１５６】
図8に対応する基地局に基づいて、本出願の実施形態の基地局の別の実施形態では、基地局は、
拡張情報要素を応答メッセージに追加するように構成される伝送モジュールであって、拡張情報要素が、ピアアドレスを示すために使用される、伝送モジュールをさらに含み得ることを理解されたい。
【０１５７】
具体的には、拡張情報要素は、コンテキスト情報内の情報要素であり得、またはコンテキスト情報から独立した別の情報要素であり得る。より具体的には、拡張情報要素は、アップリンクGTPトンネルノード情報であり得、または他の情報であり得る。これは本明細書では具体的に限定されない。
【０１５８】
図8に対応する基地局に基づいて、本出願の実施形態の基地局の別の実施形態では、ピアアドレスは、サービングゲートウェイのインターネットプロトコルアドレスを含み得ることを理解されたい。
【０１５９】
上記は、機能モジュールの観点から本出願の実施形態の基地局を説明し、以下では、エンティティハードウェアの観点から本出願の実施形態の基地局を説明する。図9は、本出願の一実施形態による基地局の概略構成図であり、基地局900は、異なる構成または性能に起因して大きく異なり得、1つ以上の中央処理装置（central processing units、CPU）922（例えば、1つ以上のプロセッサ）と、メモリ932と、アプリケーションプログラム942またはデータ944を記憶する1つ以上の記憶媒体930（例えば、1つ以上の大容量記憶デバイス）とを含み得る。メモリ932および記憶媒体930は、一時記憶または永久記憶に使用され得る。記憶媒体930に記憶されるプログラムは、1つ以上のモジュール（図に示されていない）を含み得、各モジュールは、基地局のための一連の命令動作を含み得る。さらに、中央処理装置922は、記憶媒体930内の一連の命令動作を基地局900で実行するために記憶媒体930と通信するように構成され得る。
【０１６０】
基地局900は、1つ以上の電源926、1つ以上の有線もしくはワイヤレスネットワークインタフェース950、1つ以上の入力／出力インタフェース958、ならびに／またはWindows ServerTM、Mac OS XTM、UnixTM、LinuxTM、およびFreeBSDTMなどの1つ以上のオペレーティングシステム941をさらに含み得る。
【０１６１】
図2から図5に示されている実施形態で基地局によって実行されるステップは、図9に示されている基地局構造に基づき得る。
【０１６２】
本出願の一実施形態は、コンピュータ可読記憶媒体をさらに提供する。コンピュータ可読記憶媒体は、本出願の実施形態で基地局によって使用されるコンピュータソフトウェア命令を記憶するように構成され、コンピュータ可読記憶媒体は、基地局用に設計されたプログラムを含む。
【０１６３】
基地局は、図2から図5に示されている実施形態で説明された基地局であり得る。
【０１６４】
本出願の一実施形態は、コンピュータプログラム製品をさらに提供する。コンピュータプログラム製品は、コンピュータソフトウェア命令を含む。コンピュータソフトウェア命令は、図2から図5のいずれか1つのユーザプレーンリンク確立方法の手順を実施するためにプロセッサによってロードされ得る。
【０１６５】
上記の実施形態の全部または一部は、ソフトウェア、ハードウェア、ファームウェア、またはこれらの任意の組み合わせを使用して実施され得る。ソフトウェアを使用して実施形態が実施される場合、実施形態の全部または一部は、コンピュータプログラム製品の形態で実施され得る。
【０１６６】
コンピュータプログラム製品は、1つ以上のコンピュータ命令を含む。コンピュータプログラム命令がコンピュータ上でロードされて実行されると、本出願の実施形態による手順または機能の全部または一部が生成される。コンピュータは、汎用コンピュータ、専用コンピュータ、コンピュータネットワーク、または別のプログラマブル装置であり得る。コンピュータ命令は、コンピュータ可読記憶媒体に記憶され得、またはあるコンピュータ可読記憶媒体から別のコンピュータ可読記憶媒体に送信され得る。例えば、コンピュータ命令は、有線（例えば、同軸ケーブル、光ファイバ、もしくはデジタル加入者回線（DSL））の方法またはワイヤレス（例えば、赤外線、無線、またはマイクロ波）の方法で、あるウェブサイト、コンピュータ、サーバ、またはデータセンタから別のウェブサイト、コンピュータ、サーバ、またはデータセンタに送信され得る。コンピュータ可読記憶媒体は、コンピュータによってアクセス可能な任意の使用可能な媒体、または1つ以上の使用可能な媒体を組み込んだ、サーバもしくはデータセンタなどのデータ記憶デバイスであり得る。使用可能な媒体は、磁気媒体（例えば、フロッピーディスク、ハードディスク、もしくは磁気テープ）、光学媒体（例えば、DVD）、または半導体媒体（例えば、ソリッドステートディスクSolid State Disk（SSD））などであり得る。
【０１６７】
簡便かつ簡単な説明のために、上記のシステム、装置、およびユニットの特定の動作プロセスについては、上記の方法の実施形態の対応するプロセスを参照すべきことが、当業者によって明確に理解され得る。詳細は本明細書では説明されない。
【０１６８】
本出願で提供されているいくつかの実施形態では、開示されているシステム、装置、および方法が別の方法で実施され得ることを理解されたい。例えば、上記の装置の実施形態は一例に過ぎない。例えば、ユニットの分割は、論理的な機能の分割に過ぎず、実際の実施時には他の分割であってもよい。例えば、複数のユニットまたはコンポーネントが、別のシステムに組み合わされるか、もしくは一体化されてもよく、または一部の特徴が無視されるか、もしくは実行されなくてもよい。加えて、示されたまたは述べられた相互結合または直接的な結合または通信接続は、いくつかのインタフェースを介して実施されてもよい。装置またはユニット間の間接的な結合または通信接続は、電子的な、機械的な、または他の形態で実施されてもよい。
【０１６９】
別々の部分として説明されているユニットは、物理的に別々であってもなくてもよく、ユニットとして提示されている部分は、物理的なユニットであってもなくてもよく、1つの位置に配置されても、複数のネットワークユニットに分散されてもよい。ユニットの一部または全部は、実施形態の解決策の目的を達成するために実際の要求に基づいて選択されてもよい。
【０１７０】
加えて、本出願の実施形態の機能ユニットは、1つの処理ユニットに一体化されてもよく、またはこれらのユニットの各々は、物理的に単独で存在してもよく、または2つ以上のユニットが、1つのユニットに一体化されてもよい。一体化ユニットは、ハードウェアの形態で実施されてもよく、またはソフトウェア機能ユニットの形態で実施されてもよい。
【０１７１】
一体化ユニットが、ソフトウェア機能ユニットの形態で実施され、独立した製品として販売または使用される場合、一体化ユニットは、コンピュータ可読記憶媒体に記憶されてもよい。こうした理解に基づいて、本質的に本出願の技術的解決策、または従来技術に寄与する部分、または技術的解決策の全部もしくは一部は、ソフトウェア製品の形態で実施されてもよい。コンピュータソフトウェア製品は、記憶媒体に記憶され、コンピュータデバイス（パーソナルコンピュータ、サーバ、またはネットワークデバイスなどであってもよい）に、本出願の実施形態で説明された方法のステップの全部または一部を実行するように命令するためのいくつかの命令を含む。上記の記憶媒体は、USBフラッシュドライブ、リムーバブルハードディスク、読み出し専用メモリ（英語完全名称：Read−Only Memory、略してROM）、ランダムアクセスメモリ（英語完全名称：Random Access Memory、略してRAM）、磁気ディスク、または光ディスクなど、プログラムコードを記憶し得る任意の媒体を含む。
【０１７２】
上記の実施形態は、本出願の技術的解決策を説明することを意図されているに過ぎず、本出願を限定することを意図されていない。本出願は、上記の実施形態を参照して詳細に説明されているが、当業者は、自分たちが、本出願の実施形態の技術的解決策の精神および範囲から逸脱することなく、上記の実施形態で説明された技術的解決策にさらに修正を加え得る、またはその技術的特徴の一部の同等の置き換えを行い得ることを理解するはずである。
【符号の説明】
【０１７３】
601  送信モジュール
602  受信モジュール
603  処理モジュール
701  送信モジュール
702  受信モジュール
703  確立モジュール
801  受信モジュール
802  決定モジュール
803  送信モジュール
900  基地局
922  中央処理装置
926  電源
930  記憶媒体
932  メモリ
941  オペレーティングシステム
942  アプリケーションプログラム
944  データ
950  有線またはワイヤレスネットワークインタフェース
958  入力／出力インタフェース
【国際調査報告】
2020519138.tif 000012
2020519138.tif 000013
2020519138.tif 000014
2020519138.tif 000015
2020519138.tif 000016